(57)【要約】ＬＥＤディスプレイであって、ＬＥＤ表示パネル（１０）と、スイッチ回路（３１）及び制御回路（３５）を備える表示駆動回路（３０）とを含み、スイッチ回路（３１）は、１つまたは複数の電界効果トランジスタを含む第１のサブスイッチ回路（３１１）と、１つまたは複数の電界効果トランジスタを含む第２のサブスイッチ回路（３１３）とを含み、制御回路（３５）は、給電制御ポートによりスイッチ回路（３１）の第３端子に接続する給電制御回路（３５１）を含む。スイッチ回路（３１）と制御回路（３５）とを表示駆動回路（３０）に集積させ、２つのサブスイッチ回路がそれぞれＬＥＤ表示パネル（１０）におけるＭ行＊Ｎ列ＬＥＤ粒子アレイにおけるＲ／Ｇ／Ｂ原色の給電を制御することによって、ＬＥＤディスプレイの制御回路（３５）の占める面積が小さく、設計が簡単で、リフレッシュ率が高く、電力消費が小さいという効果が実現できる。【選択図】図４
2016505881.tif 000002
【特許請求の範囲】
【請求項１】
ＬＥＤ表示パネルと、
スイッチ回路と給電制御回路を含む制御回路とを有する表示駆動回路と、
を備え、
ここで、
前記スイッチ回路は、ソースがそれぞれ第１の給電装置の電源端子に接続し、ドレンがそれぞれ前記ＬＥＤ表示パネルにおける対応する行のすべての前記ＬＥＤ粒子の中のレッドランプの陽極に接続し、ゲートがそれぞれ給電制御ポートにおける対応する配線端子に接続し、前記ＬＥＤ表示パネルのレッドランプの給電を制御する１つまたは複数の電界効果トランジスタを備える第１のサブスイッチ回路と、ソースがそれぞれ第２の給電装置の電源端子に接続し、ドレンがそれぞれ前記ＬＥＤ表示パネルにおける対応する行のすべての前記ＬＥＤ粒子の中のグリーンランプとブルーランプの陽極に接続し、ゲートがそれぞれ前記給電制御ポートにおける対応する配線端子に接続し、前記ＬＥＤ表示パネルの前記グリーンランプと前記ブルーランプの給電を制御する１つまたは複数の電界効果トランジスタを備える第２のサブスイッチ回路とを含み、前記ＬＥＤ表示パネルに対する給電を制御し、
前記給電制御回路は、前記給電制御ポートにより前記スイッチ回路の第３端子に接続し、前記スイッチ回路のオンやオフを制御することを特徴とするＬＥＤディスプレイ。
【請求項２】
前記給電制御回路は、前記第１のサブスイッチ回路における前記電界効果トランジスタに対応する前記ＬＥＤ表示パネルの行におけるＬＥＤ粒子の中のレッドランプに対して給電するように、前記第１のサブスイッチ回路における各前記電界効果トランジスタのオープンを制御し、
前記給電制御回路は、さらに第１のサブスイッチ回路における前記電界効果トランジスタに対応する前記ＬＥＤ表示パネルの行におけるＬＥＤ粒子の中の前記グリーンランプと前記ブルーランプに対して給電するように、前記第２のサブスイッチ回路における前記第１のサブスイッチ回路の中の一つの前記電界効果トランジスタに対応する前記電界効果トランジスタのオープンを制御することを特徴とする請求項１に記載のディスプレイ。
【請求項３】
前記表示駆動回路は、第１端子が前記給電装置の接地端子に接続し、第２端子が前記ＬＥＤ表示パネルの陰極に接続し、前記ＬＥＤ表示パネルの順序正しい表示を制御する駆動回路をさらに含み、
前記制御回路は、駆動制御ポートにより前記駆動回路の第３端子に接続し、前記駆動回路の導通やカットオフを制御する駆動制御回路をさらに含むことを特徴とする請求項２に記載のディスプレイ。
【請求項４】
前記駆動回路は、
第１端子がそれぞれ前記給電装置の接地端子に接続し、
第２端子がそれぞれ前記ＬＥＤ表示パネルにおける対応する列の前記ＬＥＤ粒子の陰極に接続し、
第３端子がそれぞれ前記駆動制御ポートにおける対応する配線端子に接続する１つまたは複数の定電流ロジック素子を有する定電流チャネルグループを１つ含むことを特徴とする請求項３に記載のディスプレイ。
【請求項５】
前記駆動制御回路は、前記定電流チャネルグループにおける各前記定電流ロジック素子の導通を制御し、各前記定電流ロジック素子が導通されてから、それぞれ前記定電流ロジック素子に対応する前記ＬＥＤ表示パネルの列におけるＬＥＤ粒子に電流通路を提供し、前記ＬＥＤ粒子の順序正しい表示を制御することを特徴とする請求項４に記載のディスプレイ。
【請求項６】
前記電界効果トランジスタはＰ−ＭＯＳトランジスタで、前記ＬＥＤ表示パネルはＭ行Ｎ列の前記ＬＥＤ粒子を含み、各前記ＬＥＤ粒子はそれぞれ前記レッドランプ、前記グリーンランプ、および前記ブルーランプを含み、
各行におけるｉ個目の前記ＬＥＤ粒子の中の前記レッドランプの陽極は第ｉノードに並列接続し、各行における各ノードは並列接続し、それぞれ前記第１のサブスイッチ回路における対応する１つの前記Ｐ−ＭＯＳトランジスタのドレンに接続し、
各行におけるｊ個目の前記ＬＥＤ粒子における前記グリーンランプの陽極と前記ブルーランプの陽極とは第ｊノードに並列接続し、各行における各ノードは並列接続し、それぞれ前記第２のサブスイッチ回路における対応する１つのＰ−ＭＯＳトランジスタのドレンに接続し、
各列における各前記ＬＥＤ粒子の前記レッドランプの陰極はそれぞれ並列接続し、それぞれ前記定電流チャネルグループにおける対応する１つの前記定電流ロジック素子の第２端子に接続し、
各列における各前記ＬＥＤ粒子の前記グリーンランプの陰極はそれぞれ並列接続し、前記定電流チャネルグループにおける対応する１つの前記定電流ロジック素子の第２端子に接続し、
各列における各前記ＬＥＤ粒子の前記ブルーランプの陰極はそれぞれ並列接続し、それぞれ前記定電流チャネルグループにおける対応する１つの前記定電流ロジック素子の第２端子に接続することを特徴とする請求項４または５に記載のディスプレイ。
【請求項７】
前記電界効果トランジスタはＰ−ＭＯＳトランジスタで、前記ＬＥＤ表示パネルはＭ行Ｎ列の前記ＬＥＤ粒子を含み、各前記ＬＥＤ粒子はそれぞれ前記レッドランプ、前記グリーンランプ、および前記ブルーランプを含み、
各行の各前記ＬＥＤ粒子における前記レッドランプの陽極は並列接続し、それぞれ前記第１のサブスイッチ回路における対応する１つの前記Ｐ−ＭＯＳトランジスタのドレンに接続し、
各行の各前記ＬＥＤ粒子における前記グリーンランプの陽極と前記ブルーランプの陽極とは並列接続し、それぞれ前記第２のサブスイッチ回路における対応する１つの前記Ｐ−ＭＯＳトランジスタのドレンに接続し、
各列における各前記ＬＥＤ粒子の前記レッドランプの陰極はそれぞれ並列接続し、それぞれ前記定電流チャネルグループにおける対応する１つの前記定電流ロジック素子の第２端子に接続し、
各列における各前記ＬＥＤ粒子の前記グリーンランプの陰極はそれぞれ並列接続し、前記定電流チャネルグループにおける対応する１つの前記定電流ロジック素子の第２端子に接続し、
各列における各前記ＬＥＤ粒子の前記ブルーランプの陰極はそれぞれ並列接続し、前記定電流チャネルグループにおける対応する１つの前記定電流ロジック素子の第２端子に接続することを特徴とする請求項４または５に記載のディスプレイ。
【請求項８】
前記駆動回路は、
第１端子がそれぞれ前記給電装置の接地端子に接続し、第３端子がそれぞれ前記駆動制御ポートの第１のＲ表示制御サブポートに接続し、第２端子がそれぞれ前記ＬＥＤ表示パネルにおける対応する列の中の各前記ＬＥＤ粒子における前記レッドランプの陰極に接続し、前記ＬＥＤ表示パネルの前記レッドランプの表示を制御する１つまたは複数の定電流ロジック素子を含む第１の定電流チャネルグループと、
第１端子がそれぞれ前記給電装置の接地端子に接続し、第３端子がそれぞれ前記駆動制御ポートの第１のＧ表示制御サブポートに接続し、第２端子がそれぞれ前記ＬＥＤ表示パネルにおける対応する列の中の各前記ＬＥＤ粒子における前記グリーンランプの陰極に接続し、前記ＬＥＤ表示パネルの前記グリーンランプの表示を制御する１つまたは複数の定電流ロジック素子を含む第２の定電流チャネルグループと、
第１端子がそれぞれ前記給電装置の接地端子に接続し、第３端子が前記駆動制御ポートの第１のＢ表示制御サブポートにそれぞれ接続し、第２端子がそれぞれ前記ＬＥＤ表示パネルにおける対応する列の中の各前記ＬＥＤ粒子における前記ブルーランプの陰極に接続し、前記ＬＥＤ表示パネルの前記ブルーランプの表示を制御する１つまたは複数の定電流ロジック素子を含む第３の定電流チャネルグループと、
を含むことを特徴とする請求項３に記載のディスプレイ。
【請求項９】
前記給電制御回路は、前記第１のスイッチ回路における１つの前記電界効果トランジスタのオープンを制御し、前記第１のスイッチ回路における前記電界効果トランジスタに対応する前記ＬＥＤ表示パネルの行におけるＬＥＤ粒子の中の前記レッドランプに対して給電し、
前記給電制御回路は、さらに前記第２のスイッチ回路における前記第１のスイッチ回路の中の１つの前記電界効果トランジスタに対応する前記電界効果トランジスタのオープンを制御し、第１のスイッチ回路における前記電界効果トランジスタに対応する前記ＬＥＤ表示パネルの行におけるＬＥＤ粒子の中のグリーンランプとブルーランプに対して給電し、
前記駆動制御回路は、前記第２のＲ表示制御サブポートにより前記第１の定電流チャネルグループにおける各定電流ロジック素子の導通を制御し、各前記定電流ロジック素子が導通されてから、それぞれ前記定電流ロジック素子に対応する前記ＬＥＤ表示パネルの列におけるＬＥＤ粒子の中の前記レッドランプに電流通路を提供し、前記電界効果トランジスタに対応する前記ＬＥＤ表示パネルの行におけるＬＥＤ粒子の前記レッドランプの表示を制御し、
前記駆動制御回路は、さらに前記第２のＧ表示制御サブポートにより前記第２の定電流チャネルグループにおける各定電流ロジック素子の導通を制御し、各前記定電流ロジック素子が導通されてから、それぞれ前記定電流ロジック素子に対応する前記ＬＥＤ表示パネルの列におけるＬＥＤ粒子の中の前記グリーンランプに電流通路を提供し、前記電界効果トランジスタに対応する前記ＬＥＤ表示パネルの行におけるＬＥＤ粒子の前記グリーンランプの表示を制御し、また、
前記駆動制御回路は、さらに前記第２のＢ表示制御サブポートにより前記第３の定電流チャネルグループにおける各定電流ロジック素子の導通を制御し、各定電流ロジック素子が導通されてから、それぞれ前記定電流ロジック素子に対応する前記ＬＥＤ表示パネルの列におけるＬＥＤ粒子の中の前記ブルーランプに電流通路を提供し、前記電界効果トランジスタに対応する前記ＬＥＤ表示パネルの行におけるＬＥＤ粒子の前記ブルーランプの表示を制御することを特徴とする請求項８に記載のディスプレイ。
【請求項１０】
前記電界効果トランジスタはＰ−ＭＯＳトランジスタで、前記ＬＥＤ表示パネルはＭ行Ｎ列の前記ＬＥＤ粒子を含み、各前記ＬＥＤ粒子はそれぞれ前記レッドランプ、前記グリーンランプ、および前記ブルーランプを含み、
各行のｉ個目のＬＥＤ粒子における前記レッドランプの陽極は第ｉノードに並列接続し、各行における各前記ノードは並列接続し、前記第１のサブスイッチ回路における対応する１つの前記Ｐ−ＭＯＳトランジスタのドレンに接続し、
各行におけるｊ個目のＬＥＤ粒子における前記グリーンランプの陽極と前記ブルーランプの陽極とは第ｊノードに並列接続し、各行における各前記ノードは並列接続し、それぞれ前記第２のサブスイッチ回路における対応する１つの前記Ｐ−ＭＯＳトランジスタのドレンに接続し、
各列における各前記ＬＥＤ粒子の前記レッドランプの陰極はそれぞれ並列接続し、それぞれ前記第１の定電流チャネルグループにおける対応する１つの前記定電流ロジック素子の第２端子に接続し、
各列における各前記ＬＥＤ粒子の前記グリーンランプの陰極はそれぞれ並列接続し、それぞれ前記第２の定電流チャネルグループにおける対応する１つの前記定電流ロジック素子の第２端子に接続し、また、
各列における各前記ＬＥＤ粒子の前記ブルーランプの陰極はそれぞれ並列接続し、それぞれ前記第３の定電流チャネルグループにおける対応する１つの前記定電流ロジック素子の第２端子に接続することを特徴とする請求項８または９に記載のディスプレイ。
【請求項１１】
前記電界効果トランジスタはＰ−ＭＯＳトランジスタで、前記ＬＥＤ表示パネルはＭ行Ｎ列のＬＥＤ粒子を含み、各前記ＬＥＤ粒子はそれぞれ前記レッドランプ、前記グリーンランプ、および前記ブルーランプを含み、
各行の各前記ＬＥＤ粒子における前記レッドランプの陽極は並列接続し、それぞれ前記第１のサブスイッチ回路における対応する１つの前記Ｐ−ＭＯＳトランジスタのドレンに接続し、
各行の各前記ＬＥＤ粒子における前記グリーンランプの陽極と前記ブルーランプの陽極とは並列接続し、前記ＬＥＤ表示パネルの陽極の１つの配線端子として、それぞれ前記第２のサブスイッチ回路における対応する１つの前記Ｐ−ＭＯＳトランジスタのドレンに接続し、
各列における各前記ＬＥＤ粒子の前記レッドランプの陰極はそれぞれ並列接続し、それぞれ前記第１の定電流チャネルグループにおける対応する１つの前記定電流ロジック素子の第２端子に接続し、
各列における各前記ＬＥＤ粒子の前記グリーンランプの陰極はそれぞれ並列接続し、それぞれ前記第２の定電流チャネルグループにおける対応する１つの前記定電流ロジック素子の第２端子に接続し、また、
各列における各前記ＬＥＤ粒子の前記ブルーランプの陰極はそれぞれ並列接続し、それぞれ前記第３の定電流チャネルグループにおける対応する１つの前記定電流ロジック素子の第２端子に接続することを特徴とする請求項８または９に記載のディスプレイ。
【請求項１２】
前記ＬＥＤ表示パネルにおける前記ＬＥＤ粒子は前記レッドランプ、前記グリーンランプ、および前記ブルーランプを含み、
前記レッドランプ、前記グリーンランプ、および前記ブルーランプは前記ＬＥＤ粒子に集積され、または、
前記レッドランプ、前記グリーンランプ、および前記ブルーランプはそれぞれ独立にパッケージされてから、前記ＬＥＤ粒子に配置されることを特徴とする請求項１に記載のディスプレイ。
【発明の詳細な説明】
【技術分野】
【０００１】
本発明はＬＥＤ装置分野に関し、具体的には、ＬＥＤディスプレイに関する。
【背景技術】
【０００２】
現在のＬＥＤディスプレイのユニット基板の設計は、ＬＥＤと、Ｐ−ＭＯＳトランジスタ、ＬＥＤ駆動回路がそれぞれ独立して配置される方式を採用している。図１ｂに示すように、図におけるＬＥＤ粒子は４足Ｒ／Ｇ／Ｂ同一陽極３ｉｎ１ＬＥＤで、ピン１は共通陽極で、２／３／４はそれぞれＢ／Ｇ／Ｒの三原色ＬＥＤの陰極で、外部表示駆動回路３０’は、その制御ポートの１つが定電流制御信号出力ポートで、もう１つが行給電制御ポートであり、両者が互いに協力してＬＥＤアレイ表示が実現される。
【０００３】
図１ａから１ｃは既存技術に係る３陽極ｉｎ１のＬＥＤ粒子のＬＥＤ駆動回路のそれぞれ独立した配置を示す図である。図１ａに示すように、当該ＬＥＤ駆動回路は、３つのロジック回路と、それに対応する定電流チャネルグループとを含み、それぞれがＬＥＤユニット基板におけるＲ／Ｇ／Ｂの表示を制御するＬＥＤ駆動制御回路で、この３つの集積回路の内部アーキテクチャ構造が同様で、外部表示駆動回路３０’の制御の元で、ＬＥＤアレイ表示を駆動する。現在のＬＥＤ駆動回路はいくつの独立した定電流ロジック素子を含み、定電流アレイを構成し、それぞれの定電流ロジック素子は定電流入力端子、定電流出力端子、定電流制御端子により共通構成し、定電流アレイの定電流出力端子はＬＥＤ駆動回路の外部ピンＧＮＤに共同接続し、定電流アレイはＬＥＤ駆動回路内部のロジック回路により統括して制御され、各独立の定電流ロジック素子の秩序正しい作業が実現され、外部ＬＥＤの表示を制御する。内部ロジック回路は、さらにＬＥＤ駆動回路入力信号ポートと出力信号ポートとの２部分を含み、入力信号ポートは外部表示駆動回路３０’の定電流制御信号出力ポートに接続し、出力信号ポートは次の階層のＬＥＤ駆動回路の入力信号ポートにカスケードするまたは空けにする。図１ａに示すＰ−ＭＯＳ素子は、行給電制御ポートに制御され、ＬＥＤアレイの行ごとの給電制御を実現する。
【０００４】
ＬＥＤユニット基板はＭ行＊Ｎ列のＬＥＤのマトリックス配列により構成され、単一行のＬＥＤの陽極がＰ−ＭＯＳのドレン（Ｄｒａｉｎ）に相互接続し、単一列のＬＥＤ原色の共同陰極がＬＥＤ駆動制御回路の定電流入力端子に相互接続する。Ｐ−ＭＯＳのソース（Ｓｏｕｒｃｅ）が給電端子ＶＣＣに接続され、ゲート（Ｇａｔｅ）が行給電制御ポートに接続される。表示駆動回路３０’の制御の元で、あるＰ−ＭＯＳのドレン（Ｄｒａｉｎ）をオープンして、当該行のＬＥＤの陽極に給電するとともに、定電流制御信号出力ポートによりＬＥＤ駆動回路のロジック回路が制御され、定電流アレイの順序正しく導通できるように制御され、当該行のＬＥＤ電流が順序正しくＧＮＤに導通され、ＬＥＤの順序正しい点灯が実現される。
【０００５】
上記説明から分かるように、Ｐ−ＭＯＳ、ＬＥＤ駆動回路、表示駆動回路３０’はいずれも独立にパッケージされた電子素子であるため、一定の走査方式、一定のＰ−ＭＯＳトランジスタ負荷において、一定解像度のＬＥＤアレイ表示に用いるＰ−ＭＯＳ、ＬＥＤ駆動回路、表示駆動回路３０’の占めるＰＣＢ面積が一定値である、即ちこれらの素子の占めるＰＣＢ面積が一定値で、高密度ＬＥＤディスプレイの制御方式に適用する場合、リフレッシュ率が低く、設計が難しいという課題を必然もたらす。
【０００６】
また、図２ａから２ｃは既存技術に係る６足Ｒ／Ｇ／Ｂ３ｉｎ１ＬＥＤのＬＥＤ駆動回路の独立配置回路を示す図である。図２ｂにおけるそれぞれの６足Ｒ／Ｇ／Ｂ３ｉｎ１ＬＥＤの陽極にそれぞれ内部のＲ／Ｇ／Ｂ陽極に対応する３つのピン１、２、３があり、陰極にそれぞれ内部のＢ／Ｇ／Ｒ陰極に対応する３つのピン４、５、６がある。ＬＥＤユニット基板はＭ行＊Ｎ列ＬＥＤのマトリックス配列により構成され、単一行のＬＥＤの陽極がＰ―ＭＯＳのドレン（Ｄｒａｉｎ）に相互接続し、単一列のＬＥＤの共同原色陰極がＬＥＤ駆動回路の入力端子に相互接続する。Ｐ―ＭＯＳのソース（Ｓｏｕｒｃｅ）が給電端子ＶＣＣに接続し、ゲート（Ｇａｔｅ）が表示駆動回路３０’の給電制御ロジック部分に接続し、ドレン（Ｄｒａｉｎ）がＬＥＤユニット基板の１グループのＬＥＤ陽極（図面の中は単一行のＬＥＤであるが、実際には当該グループ定義は単に一行として定義するものではない）に接続している。ＬＥＤ駆動回路の制御端子がＬＥＤ駆動回路制御部分のある分岐に接続し、ＬＥＤ点灯の駆動電流がＬＥＤの陰極（ピン４、５、６）からＬＥＤ駆動回路の入力端子およびＬＥＤ駆動制御回路の出力端子を経てＧＮＤまで至る。表示駆動回路３０’は行給電制御ロジック部分とＬＥＤ駆動回路制御部分を含み、その制御の元で、ＬＥＤユニット基板の表示が実現される。
【０００７】
図３ａから３ｃは既存技術におけるＲ／Ｇ／Ｂ独立ＬＥＤのＬＥＤ駆動回路の独立配置回路を示す図である。図３ｂに示すように、Ｒ／Ｇ／Ｂ独立ＬＥＤ粒子の陽極がピン１で、陰極がピン２であり、応用に際し、Ｒ／Ｇ／Ｂが並列して溶接され、フルカラー画素ポイントをとする。ＬＥＤユニット基板はＭ行＊Ｎ列のＬＥＤのマトリックス配列により構成され、単一行のＬＥＤの陽極がＰ−ＭＯＳのドレン（Ｄｒａｉｎ）に相互接続し、単一列のＬＥＤの共同原色陰極がＬＥＤ駆動回路の入力端子に相互接続する。Ｐ−ＭＯＳのソース（Ｓｏｕｒｃｅ）が給電端子ＶＣＣに接続され、ゲート（Ｇａｔｅ）が表示駆動回路３０’の給電制御ロジック部分に接続され、ドレン（Ｄｒａｉｎ）がＬＥＤユニット基板の１グループのＬＥＤ陽極（図面の中は単一行のＬＥＤであるが、実際には当該グループ定義は単に一行として定義するものではない）に接続している。ＬＥＤ駆動回路の制御端子がＬＥＤ駆動回路制御部分のある分岐に接続し、ＬＥＤ点灯の駆動電流がＬＥＤ粒子の陰極（ピン２）からＬＥＤ駆動制御回路の入力端子およびＬＥＤ駆動回路の出力端子を経てＧＮＤまで至る。表示駆動回路３０’は行給電制御ロジック部分とＬＥＤ駆動回路制御部分を含み、その制御の元で、ＬＥＤユニット基板の表示が実現される。
【０００８】
以上の説明から分かるように、Ｒ／Ｇ／Ｂ各原色発光ダイオードの作業電圧が異なり、その中のレッド発光ダイオードの典型作業電圧は１．８〜２Ｖで、グリーン、ブルー発光ダイオードの典型作業電圧が３．４〜３．６Ｖであり、Ｇ／Ｂ原色発光ダイオードの通常どおりの作業電圧を確保するには、Ｐ−ＭＯＳの出力電圧が必然的にグリーン、ブルー発光ダイオードの典型電圧とＬＥＤ駆動回路の典型定電流電圧との合計より大きくなる。このように、レッド発光ダイオードがグリーン、ブルー発光ダイオード対する電圧差がＬＥＤ駆動回路に印加され、散熱で放出されることになり、ＬＥＤディスプレイの電力消費が大きくなる。
【０００９】
既存技術におけるＬＥＤディスプレイの制御回路の占めるＰＣＢ面積が大きく、リフレッシュ率が低く、且つ電力消費が大きいという課題に対して、今まで効果的なソリューションが提案されていない。
【発明の概要】
【発明が解決しようとする課題】
【００１０】
関連技術に係るＬＥＤディスプレイの制御回路の占めるＰＣＢ面積が大きく、リフレッシュ率が低く、且つ電力消費が大きいという課題に対して、今まで効果的なソリューションが提案されていない。このため、本発明は、上記課題を解決するように、ＬＥＤディスプレイを提供することを主な目的とする。
【課題を解決するための手段】
【００１１】
上記目的を実現するために、本発明の一つの方面によると、ＬＥＤ表示パネルと、ＬＥＤ表示パネルに対する給電を制御するスイッチ回路および制御回路を有する表示駆動回路とを備えるＬＥＤディスプレイを提供する。ここで、スイッチ回路は、ソースがそれぞれ第１の給電装置の電源端子に接続し、ドレンがそれぞれＬＥＤ表示パネルにおける対応する行の各ＬＥＤ粒子の中のレッドランプの陽極に接続し、ゲートがそれぞれ給電制御ポートにおける対応する配線端子に接続し、ＬＥＤ表示パネルのレッドランプの給電を制御する１つまたは複数の電界効果トランジスタを含む第１のサブスイッチ回路と、ソースがそれぞれ第２の給電装置の電源端子に接続し、ドレンがそれぞれＬＥＤ表示パネルにおける対応する行の各ＬＥＤ粒子の中のグリーンランプとブルーランプの陽極に接続し、ゲートがそれぞれ給電制御ポートにおける対応する配線端子に接続し、ＬＥＤ表示パネルのグリーンランプとブルーランプの給電を制御する１つまたは複数の電界効果トランジスタを含む第２のサブスイッチ回路とを含み、制御回路は、給電制御ポートによりスイッチ回路の第３端子に接続し、スイッチ回路のオンやオフを制御する給電制御回路を含む。
【００１２】
さらに、給電制御回路は、第１のサブスイッチ回路における電界効果トランジスタに対応するＬＥＤ表示パネルの行におけるＬＥＤ粒子の中のレッドランプに対して給電するように、第１のサブスイッチ回路における各電界効果トランジスタのオープンを制御し、また、給電制御回路はさらに第１のサブスイッチ回路における電界効果トランジスタに対応するＬＥＤ表示パネルの行におけるＬＥＤ粒子の中のグリーンランプとブルーランプに対して給電するように、第２のサブスイッチ回路における第１のサブスイッチ回路の中のある電界効果トランジスタに対応する電界効果トランジスタのオープンを制御する。
【００１３】
さらに、表示駆動回路は、第１端子が給電装置の接地端子に接続し、第２端子がＬＥＤ表示パネルの陰極に接続し、ＬＥＤ表示パネルの順序正しい表示を制御する駆動回路をさらに含む。制御回路は、駆動制御ポートにより駆動回路の第３端子に接続し、駆動回路の導通やカットオフを制御する駆動制御回路をさらに含む。
【００１４】
さらに、駆動回路は、第１端子がそれぞれ給電装置の接地端子に接続し、第２端子がそれぞれＬＥＤ表示パネルにおける対応する列のＬＥＤ粒子の陰極に接続し、第３端子がそれぞれ駆動制御ポートにおける対応する配線端子に接続する１つまたは複数の定電流ロジック素子を含む定電流チャネルグループを１つ含む。
【００１５】
さらに、駆動制御回路は、定電流チャネルグループにおける各定電流ロジック素子の導通を制御し、各定電流ロジック素子が導通されてから、ＬＥＤ粒子の順序正しい表示を制御するように、それぞれ定電流ロジック素子に対応するＬＥＤ表示パネルの列におけるＬＥＤ粒子に電流通路を提供する。
【００１６】
さらに、電界効果トランジスタがＰ−ＭＯＳトランジスタで、ＬＥＤ表示パネルにはＭ行Ｎ列のＬＥＤ粒子を含み、各ＬＥＤ粒子はそれぞれレッドランプ、グリーンランプ、およびブルーランプを含み、各行におけるｉ個目のＬＥＤ粒子の中のレッドランプの陽極が第ｉノードに並列接続し、各行における各ノードが並列接続し、それぞれ第１のサブスイッチ回路における対応する１つのＰ−ＭＯＳトランジスタのドレンに接続する。各行におけるｊ個目のＬＥＤ粒子におけるグリーンランプの陽極とブルーランプの陽極とが第ｊノードに並列接続し、各行における各ノードが並列接続し、それぞれ第２のサブスイッチ回路における対応する１つのＰ−ＭＯＳトランジスタのドレンに接続する。各列における各ＬＥＤ粒子のレッドランプの陰極がそれぞれ並列接続し、それぞれ定電流チャネルグループにおける対応する１つの定電流ロジック素子の第２端子に接続し、各列における各ＬＥＤ粒子のグリーンランプの陰極がそれぞれ並列接続し、定電流チャネルグループにおける対応する１つの定電流ロジック素子の第２端子に接続し、各列における各ＬＥＤ粒子のブルーランプの陰極がそれぞれ並列接続し、定電流チャネルグループにおける対応する１つの定電流ロジック素子の第２端子に接続する。
【００１７】
さらに、電界効果トランジスタはＰ−ＭＯＳトランジスタで、ＬＥＤ表示パネルにはＭ行Ｎ列のＬＥＤ粒子を含み、各ＬＥＤ粒子はそれぞれレッドランプ、グリーンランプ、およびブルーランプを含み、各行の各ＬＥＤ粒子におけるレッドランプの陽極が並列接続し、それぞれ第１のサブスイッチ回路における対応する１つのＰ−ＭＯＳトランジスタのドレンに接続する。各行の各ＬＥＤ粒子におけるグリーンランプの陽極とブルーランプの陽極とが並列接続し、それぞれ第２のサブスイッチ回路における対応する１つのＰ−ＭＯＳトランジスタのドレンに接続する。各列における各ＬＥＤ粒子のレッドランプの陰極がそれぞれ並列接続し、それぞれ定電流チャネルグループにおける対応する１つの定電流ロジック素子の第２端子に接続し、各列の各ＬＥＤ粒子のグリーンランプの陰極がそれぞれ並列接続し、それぞれ定電流チャネルグループにおける対応する１つの定電流ロジック素子の第２端子に接続し、また、各列における各ＬＥＤ粒子のブルーランプの陰極がそれぞれ並列接続し、それぞれ定電流チャネルグループにおける対応する１つの定電流ロジック素子の第２端子に接続する。
【００１８】
さらに、駆動回路は、第１端子がそれぞれ給電装置の接地端子に接続し、第３端子がそれぞれ駆動制御ポートの第１のＲ表示制御サブポートに接続し、第２端子がそれぞれＬＥＤ表示パネルにおける対応する列の各ＬＥＤ粒子の中のレッドランプの陰極に接続し、ＬＥＤ表示パネルのレッドランプの表示を制御する１つまたは複数の定電流ロジック素子を含む第１の定電流チャネルグループと、第１端子がそれぞれ給電装置の接地端子に接続し、第３端子がそれぞれ駆動制御ポートの第１のＧ表示制御サブポートに接続し、第２端子がそれぞれＬＥＤ表示パネルにおける対応する列の各ＬＥＤ粒子の中のグリーンランプの陰極に接続し、ＬＥＤ表示パネルのグリーンランプの表示を制御する１つまたは複数の定電流ロジック素子を含む第２の定電流チャネルグループと、第１端子がそれぞれ給電装置の接地端子に接続し、第３端子が駆動制御ポートの第１のＢ表示制御サブポートにそれぞれ接続し、第２端子がそれぞれＬＥＤ表示パネルにおける対応する列の各ＬＥＤ粒子の中のブルーランプの陰極に接続し、ＬＥＤ表示パネルのブルーランプの表示を制御する１つまたは複数の定電流ロジック素子を含む第３の定電流チャネルグループとを含む。
【００１９】
さらに、給電制御回路は、第１のスイッチ回路における１つの電界効果トランジスタのオープンを制御し、第１のスイッチ回路における電界効果トランジスタに対応するＬＥＤ表示パネルの行におけるＬＥＤ粒子の中のレッドランプに対して給電する。給電制御回路は、さらに第２のスイッチ回路における第１のスイッチ回路の１つの電界効果トランジスタに対応する電界効果トランジスタのオープンを制御し、第１のスイッチ回路における電界効果トランジスタに対応するＬＥＤ表示パネルの行におけるＬＥＤ粒子の中のグリーンランプとブルーランプに対して給電する。駆動制御回路は、第２のＲ表示制御サブポートにより第１の定電流チャネルグループにおける各定電流ロジック素子の導通を制御し、各定電流ロジック素子が導通されてから、それぞれ定電流ロジック素子に対応するＬＥＤ表示パネルの列におけるＬＥＤ粒子の中のレッドランプに電流通路を提供し、電界効果トランジスタに対応するＬＥＤ表示パネルの行におけるＬＥＤ粒子のレッドランプの表示を制御する。駆動制御回路は、さらに第２のＧ表示制御サブポートにより第２の定電流チャネルグループにおける各定電流ロジック素子の導通を制御し、各定電流ロジック素子が導通されてから、それぞれ定電流ロジック素子に対応するＬＥＤ表示パネルの列におけるＬＥＤ粒子の中のグリーンランプに電流通路を提供し、電界効果トランジスタに対応するＬＥＤ表示パネルの行におけるＬＥＤ粒子のグリーンランプの表示を制御する。また、駆動制御回路は、さらに第２のＢ表示制御サブポートにより第３の定電流チャネルグループにおける各定電流ロジック素子の導通を制御し、各定電流ロジック素子が導通されてから、それぞれ定電流ロジック素子に対応するＬＥＤ表示パネルの列におけるＬＥＤ粒子の中のブルーランプに電流通路を提供し、電界効果トランジスタに対応するＬＥＤ表示パネルの行におけるＬＥＤ粒子のブルーランプの表示を制御する。
【００２０】
さらに、電界効果トランジスタはＰ−ＭＯＳトランジスタで、ＬＥＤ表示パネルはＭ行Ｎ列のＬＥＤ粒子を含み、各ＬＥＤ粒子はそれぞれレッドランプ、グリーンランプ、およびブルーランプを含み、各行のｉ個目のＬＥＤ粒子におけるレッドランプの陽極が第ｉノードに並列接続し、各行における各ノードが並列接続し、第１のサブスイッチ回路における対応する１つのＰ−ＭＯＳトランジスタのドレンに接続する。各行におけるｊ個目のＬＥＤ粒子におけるグリーンランプの陽極とブルーランプの陽極とが第ｊノードに並列接続し、各行における各ノードが並列接続し、それぞれ第２のサブスイッチ回路における対応する１つのＰ−ＭＯＳトランジスタのドレンに接続する。各列における各ＬＥＤ粒子のレッドランプの陰極がそれぞれ並列接続し、それぞれ第１の定電流チャネルグループにおける対応する１つの定電流ロジック素子の第２端子に接続し、各列における各ＬＥＤ粒子のグリーンランプの陰極がそれぞれ並列接続し、それぞれ第２の定電流チャネルグループにおける対応する１つの定電流ロジック素子の第２端子に接続し、また、各列における各ＬＥＤ粒子のブルーランプの陰極がそれぞれ並列接続し、それぞれ第３の定電流チャネルグループにおける対応する１つの定電流ロジック素子の第２端子に接続する。
【００２１】
さらに、電界効果トランジスタはＰ−ＭＯＳトランジスタで、ＬＥＤ表示パネルはＭ行Ｎ列のＬＥＤ粒子を含み、各ＬＥＤ粒子はそれぞれレッドランプ、グリーンランプ、およびブルーランプを含み、各行の各ＬＥＤ粒子におけるレッドランプの陽極が並列接続し、それぞれ第１のサブスイッチ回路における対応する１つのＰ−ＭＯＳトランジスタのドレンに接続する。各行の各ＬＥＤ粒子におけるグリーンランプの陽極とブルーランプの陽極とが並列接続し、ＬＥＤ表示パネルの陽極の１つの配線端子として、それぞれ第２のサブスイッチ回路における対応する１つのＰ−ＭＯＳトランジスタのドレンに接続する。各列における各ＬＥＤ粒子のレッドランプの陰極がそれぞれ並列接続し、それぞれ第１の定電流チャネルグループにおける対応する１つの定電流ロジック素子の第２端子に接続し、各列における各ＬＥＤ粒子のグリーンランプの陰極がそれぞれ並列接続し、それぞれ第２の定電流チャネルグループにおける対応する１つの定電流ロジック素子の第２端子に接続し、また、各列における各ＬＥＤ粒子のブルーランプの陰極がそれぞれ並列接続し、それぞれ第３の定電流チャネルグループにおける対応する１つの定電流ロジック素子の第２端子に接続する。
【００２２】
さらに、ＬＥＤ表示パネルにおけるＬＥＤ粒子はレッドランプ、グリーンランプ、およびブルーランプを含み、レッドランプ、グリーンランプ、およびブルーランプがＬＥＤ粒子に集積される、またはレッドランプ、グリーンランプ、およびブルーランプがそれぞれ独立にパッケージされてから、ＬＥＤ粒子に配置されている。
【００２３】
本出願のＬＥＤディスプレイによると、スイッチ回路と制御回路とを表示駆動回路に集積させ、元ＬＥＤ表示パネルの面積を変更せずに、より多くの表示駆動回路が配置でき、一定の面積のＬＥＤディスプレイにおいて、ＬＥＤ粒子と表示駆動回路の数量比が減少し、リフレッシュレートが高められ、且つスイッチ回路には第１のサブスイッチ回路と第２のサブスイッチ回路とを含み、２つのサブスイッチ回路がそれぞれＬＥＤ表示パネルにおけるＭ行＊Ｎ列のＬＥＤ粒子アレイにおける行のＲ／Ｇ／Ｂ原色の給電を制御し、且つ第１の給電装置と第２の給電装置がそれぞれ２つのサブスイッチ回路に対して異なる作業電圧を提供するため、ＬＥＤディスプレイの電力消費が低減される。既存技術におけるＬＥＤディスプレイの制御回路の占めるＰＣＢ面積が大きく、リフレッシュ率が低いという課題が解決され、ＬＥＤディスプレイの制御回路の占める面積が小さく、設計が簡単で、リフレッシュ率が高く、電力消費が小さいという効果が実現されている。
【図面の簡単な説明】
【００２４】
ここで説明する図面は、本発明を更に理解するためのものであり、明細書の一部を構成し、本発明の例示的な実施例およびその説明は本発明を解釈するものであり、本発明を限定するものではない。
【図１ａ】既存技術に係る３陽極ｉｎ１のＬＥＤ粒子のＬＥＤ駆動回路の分立配置を示す図である。
【図１ｂ】図１ａにおける点線部分Ａの局部拡大図である。
【図１ｃ】図１ｂにおける点線部分Ａ１の局部拡大図である。
【図２ａ】既存技術に係る６足Ｒ／Ｇ／Ｂ３ｉｎ１ＬＥＤのＬＥＤ駆動回路の分立配置回路を示す図である。
【図２ｂ】図２ａにおける点線部分Ｂの局部拡大図である。
【図２ｃ】図２ｂにおける点線部分Ｂ１の局部拡大図である。
【図３ａ】既存技術に係るＲ／Ｇ／Ｂ独立ＬＥＤのＬＥＤ駆動回路の分立配置回路を示す図である。
【図３ｂ】図３ａにおける点線部分Ｃの局部拡大図である。
【図３ｃ】図３ｂにおける点線部分Ｃ１の局部拡大図である。
【図４】本発明の実施例一に係るＬＥＤディスプレイの構造を示す図である。
【図５】本発明の好適な実施例に係るＬＥＤディスプレイの構造を示す図である。
【図５ａ】本出願の好適な実施例に係るＬＥＤディスプレイの詳しい構造を示す図である。
【図５ｂ】図５ａにおける点線部分Ｄの局部拡大図である。
【図５ｃ】図５ｂにおける点線部分Ｄ１の局部拡大図である。
【図６ａ】本出願の実施例二に係るＬＥＤディスプレイの構造を示す図である。
【図６ｂ】図６ａにおける点線部分Ｅの局部拡大図である。
【図６ｃ】図６ｂにおける点線部分Ｅ１の局部拡大図である。
【図７ａ】本出願の実施例三に係るＬＥＤディスプレイの構造を示す図である。
【図７ｂ】図７ａにおける点線部分Ｆの局部拡大図である。
【図７ｃ】図７ｂにおける点線部分Ｆ１の局部拡大図である。
【図７ｄ】図７ａにおける点線部分Ｇの局部拡大図である。
【図７ｅ】図７ｄにおける点線部分Ｇ１の局部拡大図である。
【図８ａ】本出願の実施例四に係るＬＥＤディスプレイの構造を示す図である。
【図８ｂ】図８ａにおける点線部分Ｈの局部拡大図である。
【図８ｃ】図８ｂにおける点線部分Ｈ１の局部拡大図である。
【図９ａ】本出願の実施例五に係るＬＥＤディスプレイの構造を示す図である。
【図９ｂ】図９ａにおける点線部分Ｉの局部拡大図である。
【図９ｃ】図９ｂにおける点線部分Ｉ１の局部拡大図である。
【図１０ａ】本出願の実施例六に係るＬＥＤディスプレイの構造を示す図である。
【図１０ｂ】図１０ａにおける点線部分Ｊの局部拡大図である。
【図１０ｃ】図１０ｂにおける点線部分Ｊ１の局部拡大図である。
【図１０ｄ】図１０ａにおける点線部分Ｋの局部拡大図である。
【図１０ｅ】図１０ｄにおける点線部分Ｋ１の局部拡大図である。
【図１１】本発明の実施例に係るＬＥＤ制御システムの構造を示す図である。
【発明を実施するための形態】
【００２５】
なお、本願の実施例および実施例の特徴は、衝突がない場合には、互いに組み合わせることが可能である。以下、図面を参照しながら実施例を結合して本発明を詳しく説明する。
【００２６】
実施例一
図４は本発明の実施例一に係るＬＥＤディスプレイの構造を示す図である。図４に示すように、当該ＬＥＤディスプレイは、ＬＥＤ表示パネル１０と、ＬＥＤ表示パネルに対する給電を制御するスイッチ回路３１および制御回路３５を有する表示駆動回路３０とを含む。ここで、スイッチ回路３１は、ソースがそれぞれ第１の給電装置の電源端子に接続し、ドレンがそれぞれＬＥＤ表示パネルにおける対応する行の各ＬＥＤ粒子の中のレッドランプの陽極に接続し、ゲートがそれぞれ給電制御ポートにおける対応する配線端子に接続し、ＬＥＤ表示パネルのレッドランプの給電を制御する１つまたは複数の電界効果トランジスタを含む第１のサブスイッチ回路３１１と、ソースがそれぞれ第２の給電装置の電源端子に接続し、ドレンがそれぞれＬＥＤ表示パネルにおける対応する行の各ＬＥＤ粒子の中のグリーンランプとブルーランプの陽極に接続し、ゲートがそれぞれ給電制御ポートにおける対応する配線端子に接続し、ＬＥＤ表示パネルのグリーンランプとブルーランプの給電を制御する１つまたは複数の電界効果トランジスタを含む第２のサブスイッチ回路３１３とを含み、制御回路は、給電制御ポートによりスイッチ回路の第３端子に接続し、スイッチ回路のオンやオフを制御する給電制御回路を含む。
【００２７】
本出願のＬＥＤディスプレイによると、スイッチ回路３１と制御回路３５とを表示駆動回路３０に集積させ、元ＬＥＤ表示パネル１０の面積を変更せずに、より多くの表示駆動回路３０が配置でき、一定の面積のＬＥＤディスプレイにおいて、ＬＥＤ粒子と表示駆動回路３０の数量比が減少し、リフレッシュレートが高められ、且つスイッチ回路３１には第１のサブスイッチ回路３１１と第２のサブスイッチ回路３１３とを含み、２つのサブスイッチ回路がそれぞれＬＥＤ表示パネル１０におけるＭ行＊Ｎ列のＬＥＤ粒子アレイにおける行のＲ／Ｇ／Ｂ原色の給電を制御し、且つ第１の給電装置と第２の給電装置がそれぞれＬＥＤ表示パネル１０のＬＥＤ粒子におけるレッドランプとグリーンランプ／ブルーランプに対して異なる作業電圧を提供するように、それぞれ２つのサブスイッチ回路に対して異なる作業電圧を提供するため、ＬＥＤディスプレイの電力消費が低減される。既存技術におけるＬＥＤディスプレイの制御回路３５の占めるＰＣＢ面積が大きく、リフレッシュ率が低いという課題が解決され、ＬＥＤディスプレイの制御回路３５の占める面積が小さく、設計が簡単で、リフレッシュ率が高く、電力消費が小さいという効果が実現されている。
【００２８】
ここで、第１の給電装置と第２の給電装置は図４に示されてない。第１の給電装置が第１のサブスイッチ回路に対する給電電圧は、好ましくは１．６Ｖであり、この電圧値はグリーン、ブルー発光ダイオードの典型作業電圧（３．４〜３．６Ｖ）からレッド発光ダイオードの典型作業電圧（１．８〜２Ｖ）を引いて得られるもので、且つ第１の給電装置が第１のサブスイッチ回路に対する給電電圧は第２の給電装置が第２のサブスイッチ回路に対する給電電圧より低い。
【００２９】
好ましくは、当該給電制御回路は第１のサブスイッチ回路における各電界効果トランジスタのオープンを制御し、第１のサブスイッチ回路における電界効果トランジスタに対応するＬＥＤ表示パネルの行におけるＬＥＤ粒子の中のレッドランプに対して給電し、給電制御回路はさらに第２のサブスイッチ回路における第１のサブスイッチ回路の１つの電界効果トランジスタに対する電界効果トランジスタのオープンを制御し、第１のサブスイッチ回路における電界効果トランジスタに対するＬＥＤ表示パネルの行におけるＬＥＤ粒子の中のグリーンランプとブルーランプに対して給電する。
【００３０】
ＬＥＤディスプレイは、ＬＥＤ表示パネル１０と、ＬＥＤ表示パネル１０の給電を制御するスイッチ回路３１、ＬＥＤ表示パネル１０の順序正しい表示を制御する駆動回路３３、および制御回路３５を有する表示駆動回路３０とを含んでもよい。ここで、スイッチ回路３１と駆動回路３３のいずれか一つの第１端子が給電装置の電源端子に接続し、もう一つの第１端子が給電装置の接地端子に接続して、スイッチ回路３１と駆動回路３３のいずれか一つの第２端子がＬＥＤ表示パネル１０の陽極に接続し、もう一つの第２端子がＬＥＤ表示パネル１０の陰極に接続する。制御回路３５は、給電制御ポートによりスイッチ回路３１の第３端子に接続しスイッチ回路３１のオープン／クローズを制御する給電制御回路３５１と、駆動制御ポートにより駆動回路３３の第３端子に接続し駆動回路３３のオン／オフを制御する駆動制御回路３５３とを含む。
【００３１】
スイッチ回路３１、駆動回路３３および制御回路３５を表示駆動回路３０に集積させることで、元ＬＥＤ表示パネル１０の面積を変更せずに、より多くの表示駆動回路３０が配置でき、一定の面積のＬＥＤディスプレイにおいて、ＬＥＤ粒子と表示駆動回路３０の数量比が減少し、リフレッシュレートが高められ、且つＬＥＤ表示パネル１０におけるＭ行＊Ｎ列のＬＥＤ粒子アレイと表示駆動回路３０との接続関係がより明確で、接続回路が少なくなって、ＰＣＢ設計の難しさが低減されている。既存技術におけるＬＥＤディスプレイの制御回路３５の占めるＰＣＢ面積が大きく、リフレッシュ率が低いという課題が解決され、ＬＥＤディスプレイの制御回路３５の占めるＰＣＢ面積が小さく、設計が簡単で、リフレッシュ率が高いという効果が達成できる。
【００３２】
図５に示すように、当該ディスプレイにおける表示駆動回路は、さらに、第１端子が給電装置の接地端子に接続し、第２端子がＬＥＤ表示パネルの陰極に接続し、ＬＥＤ表示パネル１０の順序正しい表示を制御する駆動回路３３を含んでもよい。制御回路は、さらに駆動制御ポートにより駆動回路の第３端子に接続し駆動回路のオン／オフを制御する駆動制御回路を含んでもよい。
【００３３】
図５ａから図５ｃは本出願の好適な実施例に係るＬＥＤディスプレイの詳しい構造を示す図である。図５、図５ａ、５ｂ、５ｃに示すように、スイッチ回路３１は、サブスイッチ回路を１つ含んでもよい。当該サブスイッチ回路は、ソースがそれぞれ給電装置の電源端子または接地端子に接続し、ドレンがそれぞれＬＥＤ表示パネル１０における対応する行の各ＬＥＤ粒子の陽極または陰極に接続し、ゲートがそれぞれ給電制御ポートにおける対応する配線端子に接続する１つまたは複数の電界効果トランジスタを含む。
【００３４】
本出願の上記実施例によると、駆動回路３３は、１つの定電流チャネルグループを含んでもよい。当該定電流チャネルグループは、第１端子がそれぞれ給電装置の電源端子または接地端子に接続し、第２端子がそれぞれＬＥＤ表示パネルに１０おける対応する各ＬＥＤ粒子の陽極または陰極に接続し、第３端子がそれぞれ駆動制御ポートにおける対応する配線端子に接続する１つまたは複数の定電流ロジック素子を含む。
【００３５】
具体的には、給電制御回路３５１は各電界効果トランジスタのオープンを制御し、電界効果トランジスタに対応するＬＥＤ表示パネル１０の行におけるＬＥＤ粒子に対して給電する。駆動制御回路３５３は定電流チャネルグループにおける各定電流ロジック素子の導通を制御し、各定電流ロジック素子が導通されてから、それぞれ定電流ロジック素子に対応するＬＥＤ表示パネル１０の列におけるＬＥＤ粒子に電流通路を提供し、ＬＥＤ粒子の順序正しい表示を制御する。
【００３６】
具体的には、電界効果トランジスタはＰ−ＭＯＳトランジスタで、ＬＥＤ表示パネル１０にはＭ行Ｎ列のＬＥＤ粒子を含み、各ＬＥＤ粒子はそれぞれレッドランプ、グリーンランプ、およびブルーランプを含み、各行のｉ個目のＬＥＤ粒子におけるレッドランプの陽極、グリーンランプの陽極、およびブルーランプの陽極が第ｉノードに並列接続し、各行における各ノードが並列接続し、それぞれスイッチ回路３１における対応する１つのＰ−ＭＯＳトランジスタのドレンに接続する。各列における各ＬＥＤ粒子のレッドランプの陰極がそれぞれ並列接続し、それぞれ定電流チャネルグループにおける対応する１つの定電流ロジック素子の第２端子に接続し、各列における各ＬＥＤ粒子のグリーンランプの陰極がそれぞれ並列接続し、それぞれ定電流チャネルグループにおける対応する１つの定電流ロジック素子の第２端子に接続し、各列における各ＬＥＤ粒子のブルーランプの陰極がそれぞれ並列接続し、それぞれ定電流チャネルグループにおける対応する１つの定電流ロジック素子の第２端子に接続する。ここで、１≦ｉ≦Ｎ、ｉは自然数で、レッドランプ、グリーンランプおよびブルーランプはそれぞれＲ／Ｇ／Ｂ原色発光ダイオードであってもよい。
【００３７】
本出願の上記実施例において、図５ｂは図５ａの点線部分に含まれるＤの局部拡大図であり、図５ｃに示すＬＥＤ粒子は図５ｂの点線部分に含まれるＤ１の局部拡大図で、図面におけるピン１は共通陽極で、２／３／４はそれぞれＢ／Ｇ／Ｒ三原色発光ダイオードの陰極である。
【００３８】
表示駆動回路３０は、サブスイッチ回路、定電流チャネルグループおよび制御回路３５を含む。上記サブスイッチ回路３１には、ドレンがそれぞれ制御回路３５の出力ピンの中の１つのピンとし、ソースが表示駆動回路３０の給電端子（即ちＶＣＣ端子）に接続し、ゲートが制御回路３５の給電制御ポートの中の１つの配線端子に接続するＰ−ＭＯＳトランジスタをＮ個含む。定電流チャネルグループは定電流ロジック素子（定電流ロジック回路ともいう）をＮ個含んでもよく、各定電流ロジック素子の第２端子（当該実施例においては定電流ロジック素子の入力端子）がそれぞれ表示駆動回路３０の入力ピンの中の１つとし、すべての定電流ロジック素子の第１端子（即ち出力端子）の内部が相互接続し、表示駆動回路３０の接地端子（即ちＧＮＤ端子）として給電装置の接地端子に接続し、定電流ロジック素子の第３端子（当該実施例においては定電流ロジック素子の制御端子）が制御回路３５の駆動制御ポートに接続し、駆動回路３３の定電流制御信号を受信する。
【００３９】
実施例一において、ＬＥＤ表示パネル１０（ＬＥＤユニットや、ＬＥＤユニット基板ともいう）はＭ行＊Ｎ列ＬＥＤ粒子のマトリックス配列を含み、単一行のＬＥＤ粒子の陽極が第ｉノードに相互接続し、各ノードをスイッチ回路３１のサブスイッチ回路３１における１つのＰ−ＭＯＳトランジスタのドレンに対応する出力ピンに接続させ、単一列のＬＥＤ粒子の同一原色の陰極が表示駆動回路３０の定電流チャネルグループの定電流ロジック素子の入力端子に相互接続し、即ち単一列のＬＥＤ粒子におけるレッドランプ（即ちＲ発光ダイオード）の共同陰極が表示駆動回路３０の定電流チャネルグループの定電流ロジック素子の入力端子に相互接続し、単一列のＬＥＤ粒子におけるグリーンランプ（即ちＧ原色発光ダイオード）の共同陰極が表示駆動回路３０の定電流チャネルグループの定電流ロジック素子の入力端子に相互接続し、単一列のＬＥＤ粒子におけるブルーランプ（即ちＢ原色発光ダイオード）の共同陰極が表示駆動回路３０の定電流チャネルグループの定電流ロジック素子の入力端子に接続する。
【００４０】
上記ＬＥＤ表示パネル１０は表示駆動回路３０の制御の元で、給電制御回路３５１は給電制御ポートによりサブスイッチ回路３１（Ｐ−ＭＯＳチャネルグループであってもよい）におけるあるＰ−ＭＯＳトランジスタがオープン状態になるように制御し、ＬＥＤ表示パネル１０の対応する行のＬＥＤ粒子の陽極に給電し、駆動制御回路３５３は駆動制御ポートにより定電流制御信号を定電流チャネルグループの各定電流ロジック素子に出力し各定電流ロジック素子が導通する作業状態になるように制御することによって、対応する列のＬＥＤ粒子の原色陰極に電流通路を提供し、ＬＥＤユニットの順序正しい表示を実現する。ここで、対応する列のＬＥＤ粒子の原色陰極は、Ｒ、Ｇ、Ｂ三原色の陰極を含み、即ちそれぞれ対応する列のＬＥＤ粒子のレッドランプ、グリーンランプ、およびブルーランプの順序正しい表示である。
【００４１】
本出願の上記実施例において、電界効果トランジスタはＰ−ＭＯＳトランジスタであってもよく、ＬＥＤ表示パネル１０はＭ行Ｎ列のＬＥＤ粒子を含み、各ＬＥＤ粒子はそれぞれレッドランプ、グリーンランプ、およびブルーランプを含み、各行の各ＬＥＤ粒子におけるレッドランプの陽極、グリーンランプの陽極、およびブルーランプの陽極が並列接続し、スイッチ回路３１における対応する１つのＰ−ＭＯＳトランジスタのドレンに接続する。各列における各ＬＥＤ粒子のレッドランプの陰極がそれぞれ並列接続し、それぞれ定電流チャネルグループにおける対応する１つの定電流ロジック素子の第２端子に接続し、各列における各ＬＥＤ粒子のグリーンランプの陰極がそれぞれ並列接続し、それぞれ定電流チャネルグループにおける対応する１つの定電流ロジック素子の第２端子に接続し、各列における各ＬＥＤ粒子のブルーランプの陰極がそれぞれ並列接続し、それぞれ定電流チャネルグループにおける対応する１つの定電流ロジック素子の第２端子に接続する。
【００４２】
実施例一に示された技術案に基き、第１種類の変形した実施形態があってもよい。
【００４３】
ＬＥＤ表示パネル１０の単一行のＬＥＤ粒子のＲ／Ｇ／Ｂ原色発光ダイオードの陽極は表示駆動回路３０におけるスイッチ回路３１の１つのＰ−ＭＯＳトランジスタのドレンに対応する出力ピンに相互接続し、単一列のＬＥＤ粒子における同一原色の陰極は表示駆動回路３０の定電流チャネルグループの定電流ロジック素子の入力端子に相互接続する。即ち、単一列のＬＥＤ粒子におけるＲ原色発光ダイオードの共同陰極は表示駆動回路３０の定電流チャネルグループの定電流ロジック素子の入力端子に接続し、単一列のＬＥＤ粒子におけるＧ原色発光ダイオードの共同陰極は表示駆動回路３０の定電流チャネルグループの定電流ロジック素子の入力端子に相互接続し、単一列のＬＥＤ粒子におけるブルーランプＢ原色発光ダイオードの共同陰極は表示駆動回路３０の定電流チャネルグループの定電流ロジック素子の入力端子に相互接続する。
【００４４】
この変形した方式において、表示駆動回路３０の制御方式が変更しなく、変更したのは、ＬＥＤ表示パネル１０における単一行のＬＥＤ粒子の陽極の接続関係のみである。当該変形した方式において、単一行のＬＥＤ粒子のＲ／Ｇ／Ｂ原色発光ダイオードの陽極が直接に相互接続し、スイッチ回路の中の１つのＰ−ＭＯＳトランジスタのドレンに対応する出力ピンに接続し、当該変形した方式において、スイッチ回路３１、駆動回路３３および制御回路３５を表示駆動回路３０に集積させ、元ＬＥＤ表示パネル１０の面積を変更せずに、より多くの表示駆動回路３０が配置でき、一定の面積のＬＥＤディスプレイにおいて、ＬＥＤ粒子と表示駆動回路３０との数量比が減少し、リフレッシュレートが高められ、且つＬＥＤ表示パネル１０におけるＬＥＤ粒子アレイと表示駆動回路３０との接続関係がより明確で、接続回路が少なくなり、ＰＣＢ設計の難しさが低減されている。
【００４５】
実施例一に示された技術案に基き、さらに第２種類の変形した実施形態があってもよい。
【００４６】
電界効果トランジスタはＮ−ＭＯＳトランジスタでもよく、ＬＥＤ表示パネル１０はＭ行Ｎ列のＬＥＤ粒子を含んでもよく、各ＬＥＤ粒子はそれぞれレッドランプ、グリーンランプ、およびブルーランプを含み、各行のｉ個目のＬＥＤ粒子におけるレッドランプの陰極、グリーンランプの陰極、およびブルーランプの陰極が第ｉノードに並列接続し、各行における各ノードが並列接続し、スイッチ回路３１における対応する１つのＮ−ＭＯＳトランジスタのドレンに接続する。各列における各ＬＥＤ粒子のレッドランプの陽極がそれぞれ並列接続し、それぞれ定電流チャネルグループにおける対応する１つの定電流ロジック素子の第２端子に接続し、各列における各ＬＥＤ粒子のグリーンランプの陽極がそれぞれ並列接続し、それぞれ定電流チャネルグループにおける対応する１つの定電流ロジック素子の第２端子に接続し、各列における各ＬＥＤ粒子のブルーランプの陽極がそれぞれ並列接続し、それぞれ定電流チャネルグループにおける対応する１つの定電流ロジック素子の第２端子に接続する。ここで、１≦ｉ≦Ｎ、ｉは自然数である。
【００４７】
具体的には、第２種類の変形形態において、サブスイッチ回路には、ドレンがそれぞれ制御回路３５の出力ピンの中の１つのピンとし、ソースが表示駆動回路３０の接地端子（即ちＧＮＤ端子）として給電装置の接地端子に接続し、ゲートが制御回路３５の給電制御ポートの中の１つの配線端子に接続するＮ−ＭＯＳトランジスタをＮ個含む。定電流チャネルグループは、定電流ロジック素子（定電流ロジック回路ともいう）をＮ個含み、各定電流ロジック素子の第２端子（即ち入力端子）がそれぞれ表示駆動回路３０の入力ピンの中の１つとし、すべての定電流ロジック素子の第１端子（即ち出力端子）の内部が相互接続し、表示駆動回路３０の給電端子（即ちＶＣＣ端子）として給電装置の電源端子に接続し、定電流ロジック素子の第３端子（即ち制御端子）が制御回路３５の表示制御ポートに接続し、駆動回路３３の定電流制御信号を受信する。
【００４８】
上記第２種類の変形形態において、ＬＥＤ表示パネル１０（ＬＥＤユニットともいう）はＭ行＊Ｎ列ＬＥＤ粒子のマトリックス配列を含み、単一行のＬＥＤ粒子の陰極が第ｉノードに相互接続し、各ノードを表示駆動回路３０のスイッチ回路３１における１つのＮ−ＭＯＳトランジスタのドレンに対応する出力ピンに接続させ、単一列のＬＥＤ粒子の同一原色の陽極が表示駆動回路３０の定電流チャネルグループの定電流ロジック素子の入力端子に相互接続し、即ち単一列のＬＥＤ粒子におけるＲ発光ダイオードの共同陽極が表示駆動回路３０の定電流チャネルグループの定電流ロジック素子の入力端子に相互接続し、単一列のＬＥＤ粒子におけるＧ原色発光ダイオードの共同陽極が表示駆動回路３０の定電流チャネルグループの定電流ロジック素子の入力端子に相互接続し、単一列のＬＥＤ粒子におけるＢ原色発光ダイオードの共同陽極が表示駆動回路３０の定電流チャネルグループの定電流ロジック素子の入力端子に接続する。
【００４９】
上記第２種類の変形形態において、表示駆動回路３０の中の給電制御回路３５１は給電制御ポートによりサブスイッチ回路３１の中のいずれかのＮ−ＭＯＳトランジスタがオープン状態になるように制御し、ＬＥＤ表示パネル１０の対応する行のＬＥＤ粒子の陽極に給電し、駆動制御回路３５３は駆動制御ポートにより定電流制御信号を定電流チャネルグループの各定電流ロジック素子に出力し各定電流ロジック素子が導通する作業状態になるように制御することによって、対応する列のＬＥＤ粒子の原色陽極に電流通路を提供し、ＬＥＤユニットの順序正しい表示を実現する。対応する列のＬＥＤ粒子の原色陽極は、Ｒ、Ｇ、Ｂ三原色の陽極を含み、即ちそれぞれ対応する列のＬＥＤ粒子のレッドランプ、グリーンランプ、およびブルーランプの順序正しい表示を制御する。
【００５０】
実施例一の第２種類の変形形態に示された技術案に基き、さらに以下のような変形した実施形態があってもよい。
【００５１】
電界効果トランジスタはＮ−ＭＯＳトランジスタであってもよく、ＬＥＤ表示パネル１０はＭ行Ｎ列のＬＥＤ粒子を含んでもよく、各ＬＥＤ粒子はそれぞれレッドランプ、グリーンランプ、およびブルーランプを含み、各行の各ＬＥＤ粒子におけるレッドランプの陰極、グリーンランプの陰極、およびブルーランプの陰極が並列接続し、スイッチ回路３１における対応する１つのＮ−ＭＯＳトランジスタのドレンに接続する。各列における各ＬＥＤ粒子のレッドランプの陽極がそれぞれ並列接続し、それぞれ定電流チャネルグループにおける対応する１つの定電流ロジック素子の第２端子に接続し、各列における各ＬＥＤ粒子のグリーンランプの陽極がそれぞれ並列接続し、それぞれ定電流チャネルグループにおける対応する１つの定電流ロジック素子の第２端子に接続する。各列における各ＬＥＤ粒子のブルーランプの陽極がそれぞれ並列接続し、それぞれ定電流チャネルグループにおける対応する１つの定電流ロジック素子の第２端子に接続する。
【００５２】
具体的には、当該実施形態におけるＬＥＤ表示パネル１０における単一行のＬＥＤ粒子の陰極は表示駆動回路３０のスイッチ回路３１の一つのＮ−ＭＯＳトランジスタのドレンに対応する出力ピンに接続し、単一列のＬＥＤ粒子の同一原色の陽極は表示駆動回路３０の定電流チャネルグループの定電流ロジック素子の入力端子に相互接続する。即ち、単一列のＬＥＤ粒子におけるレッドランプＲ発光ダイオードの共同陽極は表示駆動回路３０の定電流チャネルグループの定電流ロジック素子の入力端子に相互接続し、単一列のＬＥＤ粒子におけるＧ原色発光ダイオードの共同陽極は表示駆動回路３０の定電流チャネルグループの定電流ロジック素子の入力端子に相互接続し、単一列のＬＥＤ粒子におけるＢ原色発光ダイオードの共同陽極が表示駆動回路３０の定電流チャネルグループの定電流ロジック素子の入力端子に接続する。
【００５３】
実施例一に示された技術案に基き、更に第３種類の実施形態があってもよい。
【００５４】
当該実施形態において、駆動回路３３は、第１端子がそれぞれ給電装置の電源端子または接地端子に接続し、第３端子がそれぞれ駆動制御ポートの第１のＲ表示制御サブポートに接続し、第２端子がそれぞれＬＥＤ表示パネル１０における対応する列の中の各ＬＥＤ粒子におけるレッドランプの陽極または陰極に接続し、ＬＥＤ表示パネル１０のレッドランプの表示を制御する１つまたは複数の定電流ロジック素子を含む第１の定電流チャネルグループと、第１端子がそれぞれ給電装置の電源端子または接地端子に接続し、第３端子がそれぞれ駆動制御ポートの第１のＧ表示制御サブポートに接続し、第２端子がそれぞれＬＥＤ表示パネル１０における対応する列の中の各ＬＥＤ粒子におけるグリーンランプの陽極または陰極に接続し、ＬＥＤ表示パネル１０のグリーンランプの表示を制御する１つまたは複数の定電流ロジック素子を含む第２の定電流チャネルグループと、第１端子がそれぞれ給電装置の電源端子または接地端子に接続し、第３端子は駆動制御ポートの第１のＢ表示制御サブポートに接続し、第２端子がそれぞれＬＥＤ表示パネル１０における対応する列の各ＬＥＤ粒子の中のブルーランプの陽極または陰極に接続し、ＬＥＤ表示パネル１０のブルーランプの表示を制御する１つまたは複数の定電流ロジック素子を含む第３の定電流チャネルグループとを含む。その中、第１の定電流ロジックグループはＲ原色定電流チャネルグループで、第２の定電流ロジックグループはＧ原色定電流チャネルグループで、第３の定電流ロジックグループはＢ原色定電流チャネルグループであってもよい。
【００５５】
具体的には、Ｒ原色定電流チャネルグループは、第２端子（即ち入力端子）がＬＥＤ表示パネル１０における対応する列の中のＬＥＤ粒子のレッドランプの陰極（即ちＲ原色陰極）に接続し、第１端子（即ち出力端子）が相互接続し表示駆動回路３０の外部ピンＧＮＤとして給電装置の接地端子に接続し、第３端子（即ち制御端子）が駆動制御ポートの第１のＲ表示制御サブポートに接続し、駆動制御回路３５３のＲ表示制御信号を受信する１つまたは複数の定電流ロジック素子を含んでもよい。Ｇ原色定電流チャネルグループは、第２端子（即ち入力端子）がＬＥＤ表示パネル１０における対応する列の中のＬＥＤ粒子のグリーンランプの陰極（即ちＧ原色陰極）に接続し、第１端子（即ち出力端子）が相互接続し表示駆動回路３０の外部ピンＧＮＤとして給電装置の接地端子に接続し、第３端子（即ち制御端子）が駆動制御ポートの第１のＧ表示制御サブポートに接続し、駆動制御回路３５３のＧ表示制御信号を受信する１つまたは複数の定電流ロジック素子を含んでもよい。Ｂ原色定電流チャネルグループは、第２端子（即ち入力端子）がＬＥＤ表示パネル１０における対応する列の中のＬＥＤ粒子のブルーランプの陰極（即ちＢ原色陰極）に接続し、第１端子（即ち出力端子）が相互接続し表示駆動回路３０の外部ピンＧＮＤとして給電装置の接地端子に接続し、第３端子（即ち制御端子）が駆動制御ポートの第１のＢ表示制御サブポートに接続し、駆動制御回路３５３のＢ表示制御信号を受信する１つまたは複数の定電流ロジック素子を含んでもよい。
【００５６】
本実施形態において、給電制御回路３５１は各電界効果トランジスタのオープンを制御し、電界効果トランジスタに対応するＬＥＤ表示パネル１０の行におけるＬＥＤ粒子に対して給電する。駆動制御回路３５３は、第１のＲ表示制御サブポートにより第１の定電流チャネルグループにおける各定電流ロジック素子の導通を制御し、各定電流ロジック素子が導通されてから、それぞれ定電流ロジック素子に対応するＬＥＤ表示パネル１０の列におけるＬＥＤ粒子のレッドランプに電流通路を提供し、電界効果トランジスタに対応するＬＥＤ表示パネル１０における行のＬＥＤ粒子のレッドランプの表示を制御する。駆動制御回路３５３は、さらに第１のＧ表示制御サブポートにより第２の定電流チャネルグループにおける各定電流ロジック素子の導通を制御し、各定電流ロジック素子が導通されてから、それぞれ定電流ロジック素子に対応するＬＥＤ表示パネル１０の列におけるＬＥＤ粒子のグリーンランプに電流通路を提供し、電界効果トランジスタに対応するＬＥＤ表示パネル１０における行のＬＥＤ粒子のグリーンランプの表示を制御する。駆動制御回路３５３は、さらに第１のＢ表示制御サブポートにより第３の定電流チャネルグループにおける各定電流ロジック素子の導通を制御し、各定電流ロジック素子が導通されてから、それぞれ定電流ロジック素子に対応するＬＥＤ表示パネル１０の列におけるＬＥＤ粒子のブルーランプに電流通路を提供し、電界効果トランジスタに対応するＬＥＤ表示パネル１０における行のＬＥＤ粒子のブルーランプの表示を制御する。
【００５７】
この実施形態において、表示駆動回路３０の給電制御ポートは変更がないが、駆動制御ポートには、それぞれ第１／第２／第３の定電流チャネルグループの導通またはカットオフを制御する３つのサブ制御ポートを含み、スイッチ回路と駆動回路とによりそれぞれＬＥＤ表示パネルにおける単一行のＬＥＤ粒子の給電と列のＬＥＤ粒子の順序正しい表示が制御される。当該変形形態において、スイッチ回路３１、駆動回路３３および制御回路３５を表示駆動回路３０に集積させ、ただ、駆動回路には定電流チャネルグループが３グループ含ませるようにしていって、依然として、元ＬＥＤ表示パネル１０の面積を変更せずに、より多くの表示駆動回路３０が配置でき、一定の面積のＬＥＤディスプレイにおいて、ＬＥＤ粒子と表示駆動回路３０との数量比が減少し、リフレッシュレートが高められ、且つＬＥＤ表示パネル１０におけるＬＥＤ粒子アレイと表示駆動回路３０との接続関係がより明確で、接続回路が少なくなり、ＰＣＢ設計の難しさが低減されている。
【００５８】
当該実施形態において、電界効果トランジスタはＰ−ＭＯＳトランジスタであってもよく、ＬＥＤ表示パネル１０はＭ行Ｎ列のＬＥＤ粒子を含み、各ＬＥＤ粒子はそれぞれレッドランプ、グリーンランプ、およびブルーランプを含み、各行のｉ個目のＬＥＤ粒子におけるレッドランプの陽極、グリーンランプの陽極、およびブルーランプの陽極が第ｉノードに並列接続し、各行における各ノードが並列接続し、それぞれスイッチ回路３１における対応する１つのＰ−ＭＯＳトランジスタのドレンに接続する。各列における各ＬＥＤ粒子のレッドランプの陰極がそれぞれ並列接続し、それぞれ第１の定電流チャネルグループにおける対応する１つの定電流ロジック素子の第２端子に接続し、各列における各ＬＥＤ粒子のグリーンランプの陰極がそれぞれ並列接続し、それぞれ第２の定電流チャネルグループにおける対応する１つの定電流ロジック素子の第２端子に接続し、各列における各ＬＥＤ粒子のブルーランプの陰極がそれぞれ並列接続し、それぞれ第３の定電流チャネルグループにおける対応する１つの定電流ロジック素子の第２端子に接続する。ここで、１≦ｉ≦Ｎ、ｉは自然数で、レッドランプ、グリーンランプおよびブルーランプはそれぞれＲ／Ｇ／Ｂ原色発光ダイオードであってもよい。
【００５９】
また、ＬＥＤ表示パネル１０（ＬＥＤユニットともいう）はＭ行＊Ｎ列ＬＥＤ粒子のマトリックス配列を含み、単一行のＬＥＤ粒子の陽極が第ｉノードに相互接続し、各ノードを表示駆動回路３０のスイッチ回路３１における１つのＰ−ＭＯＳトランジスタのドレンに対応する出力ピンに接続させ、単一列のＬＥＤ粒子の同一原色の陰極が表示駆動回路３０の第１の定電流チャネルグループの定電流ロジック素子の入力端子に相互接続し、即ち単一列のＬＥＤ粒子におけるＲ発光ダイオードの共同陰極が表示駆動回路３０の第２の定電流チャネルグループの定電流ロジック素子の入力端子に相互接続し、単一列のＬＥＤ粒子におけるＧ原色発光ダイオードの共同陰極が表示駆動回路３０の定電流チャネルグループの定電流ロジック素子の入力端子に相互接続し、単一列のＬＥＤ粒子におけるＢ原色発光ダイオードの共同陰極が表示駆動回路３０の第３の定電流チャネルグループの定電流ロジック素子の入力端子に接続する。
【００６０】
当該実施例において、表示駆動回路３０の給電制御回路３５１は給電制御ポートによりサブスイッチ回路３１におけるいずれかのＰ−ＭＯＳトランジスタがオープン状態になるように制御し、ＬＥＤ表示パネル１０の対応する行のＬＥＤ粒子の陽極に給電し、駆動制御回路３５３はそれぞれ第１のＲ表示制御ポート／第１のＧ表示制御ポート／第１のＢ表示制御ポートによりＲ表示制御信号／Ｇ表示制御信号／Ｂ表示制御信号を第１の定電流チャネルグループ／第２の定電流チャネルグループ／第３の定電流チャネルグループの各定電流ロジック素子に出力し、それぞれ３つの定電流チャネルグループにおける各定電流ロジック素子が導通する作業状態になるように制御することによって、対応する列のＬＥＤ粒子のＲ原色陰極、Ｇ原色陰極、及びＢ原色陰極に電流通路を提供し、ＬＥＤの順序正しい表示を実現する。対応する列のＬＥＤ粒子のＲ原色陰極、Ｇ原色陰極、Ｂ原色陰極は、それぞれ対応する列のＬＥＤ粒子のレッドランプ、グリーンランプ、およびブルーランプの陰極である。サブスイッチ回路はＰ−ＭＯＳチャネルとも言われる。
【００６１】
実施例一の第３種類の変形形態に示された技術案に基き、さらに以下のような変形した実施形態があってもよい。
【００６２】
電界効果トランジスタはＰ−ＭＯＳトランジスタであってもよく、ＬＥＤ表示パネル１０はＭ行Ｎ列のＬＥＤ粒子を含んでもよく、各ＬＥＤ粒子はそれぞれレッドランプ、グリーンランプ、およびブルーランプを含み、各行の各ＬＥＤ粒子におけるレッドランプの陽極、グリーンランプの陽極、およびブルーランプの陽極が並列接続し、それぞれスイッチ回路３１における対応する１つのＰ−ＭＯＳトランジスタのドレンに接続する。各列における各ＬＥＤ粒子のレッドランプの陰極がそれぞれ並列接続し、それぞれ第１の定電流チャネルグループにおける対応する１つの定電流ロジック素子の第２端子に接続し、各列における各ＬＥＤ粒子のグリーンランプの陰極がそれぞれ並列接続し、それぞれ第２の定電流チャネルグループにおける対応する１つの定電流ロジック素子の第２端子に接続し、各列における各ＬＥＤ粒子のブルーランプの陰極がそれぞれ並列接続し、それぞれ第３の定電流チャネルグループにおける対応する１つの定電流ロジック素子の第２端子に接続する。
【００６３】
具体的には、ＬＥＤ表示パネル１０における単一行のＬＥＤ粒子の陽極が表示駆動回路３０のスイッチ回路３１の一つのＰ−ＭＯＳトランジスタのドレンに対応する出力ピンに接続し、単一列のＬＥＤ粒子の同一原色の陰極が表示駆動回路３０の第１の定電流チャネルグループの定電流ロジック素子の入力端子に相互接続し、即ち単一列のＬＥＤ粒子におけるＲ発光ダイオードの共同陰極が表示駆動回路３０の第２の定電流チャネルグループの定電流ロジック素子の入力端子に相互接続し、単一列のＬＥＤ粒子におけるＧ原色発光ダイオードの共同陰極が表示駆動回路３０の定電流チャネルグループの定電流ロジック素子の入力端子に相互接続し、単一列のＬＥＤ粒子におけるＢ原色発光ダイオードの共同陰極が表示駆動回路３０の第３の定電流チャネルグループの定電流ロジック素子の入力端子に接続する。
【００６４】
この実施形態において、実施例一の第３種類の変形形態に示す技術案における表示駆動回路３０の制御方式と同様である。同様に、給電制御回路３５１は給電制御ポートによりスイッチ回路３１（即ちＰ―ＭＯＳチャネルグループ）におけるあるＰ−ＭＯＳトランジスタがオープン状態になるように制御し、ＬＥＤ表示パネル１０の対応する行のＬＥＤ粒子の陽極に給電し、駆動制御回路３５３はそれぞれ第１のＲ表示制御ポート／第１のＧ表示制御ポート／第１のＢ表示制御ポートによりＲ表示制御信号／Ｇ表示制御信号／Ｂ表示制御信号を第１の定電流チャネルグループ／第２の定電流チャネルグループ／第３の定電流チャネルグループの各定電流ロジック素子に出力し、それぞれ３つの定電流チャネルグループにおける各定電流ロジック素子が導通する作業状態になるように制御することによって、対応する列のＬＥＤ粒子のＲ原色陰極、Ｇ原色陰極、Ｂ原色陰極に電流通路を提供し、ＬＥＤの順序正しい表示を実現する。対応する列のＬＥＤ粒子のＲ原色陰極、Ｇ原色陰極、Ｂ原色陰極は、それぞれ対応する列のＬＥＤ粒子のレッドランプ、グリーンランプ、およびブルーランプの陰極である。
【００６５】
実施例二
図６ａから６ｃ本出願の実施例二に係るＬＥＤディスプレイの構造を示す図である。図６ａに示すように、当該ＬＥＤディスプレイにおける電界効果トランジスタはＮ−ＭＯＳトランジスタであってもよく、ＬＥＤ表示パネル１０はＭ行Ｎ列のＬＥＤ粒子を含んでもよく、各ＬＥＤ粒子はそれぞれレッドランプ、グリーンランプ、およびブルーランプを含み、各行おけるｉ個目のＬＥＤ粒子の中のレッドランプの陰極、グリーンランプの陰極、およびブルーランプの陰極が第ｉノードに並列接続し、各行における各ノードが並列接続し、それぞれスイッチ回路３１における対応する１つのＮ−ＭＯＳトランジスタのドレンに接続する。各列における各ＬＥＤ粒子のレッドランプの陽極がそれぞれ並列接続し、ＬＥＤ表示パネル１０の陽極の１つの配線端子として、それぞれ第１の定電流チャネルグループにおける対応する１つの定電流ロジック素子の第２端子に接続し、各列における各ＬＥＤ粒子のグリーンランプの陽極がそれぞれ並列接続し、ＬＥＤ表示パネル１０の陽極の１つの配線端子として、それぞれ第２の定電流チャネルグループにおける対応する１つの定電流ロジック素子の第２端子に接続し、各列における各ＬＥＤ粒子のブルーランプの陽極がそれぞれ並列接続し、ＬＥＤ表示パネル１０の陽極の１つの配線端子として、それぞれ第３の定電流チャネルグループにおける対応する１つの定電流ロジック素子の第２端子に接続する。
【００６６】
具体的には、図６ａに示すように、Ｒ原色定電流チャネルグループは、第１端子（当該実施例においては入力端子）が相互接続し表示駆動回路３０の外部ピンＶＣＣＲとして給電装置の電源端子に接続し、第２端子（即ち出力端子）がＬＥＤ表示パネル１０における対応する列の中のＬＥＤ粒子のレッドランプの陽極（即ち当該実施例においてＲ原色陽極）に接続し、第３端子（即ち制御端子）が第１のＲ表示制御ポートに接続する１つまたは複数の定電流ロジック素子を含んでもよい。Ｇ原色定電流チャネルグループは、第１端子（当該実施例においては出力端子）が相互接続し表示駆動回路３０の外部ピンＶＣＣＧとして給電装置の電源端子に接続し、第２端子（即ち出力端子）がＬＥＤ表示パネル１０における対応する列の中のＬＥＤ粒子のグリーンランプの陽極（即ち当該実施例においてはＧ原色陽極）に接続し、第３端子（即ち制御端子）が第１のＧ表示制御ポートに接続する１つまたは複数の定電流ロジック素子を含んでもよい。Ｂ原色定電流チャネルグループは、第１端子（即ち本実施例においては出力端子）が相互接続し表示駆動回路３０の外部ピンＶＣＣＢとして給電装置の電源端子に接続し、第２端子（即ち出力端子）がＬＥＤ表示パネル１０における対応する列の中のＬＥＤ粒子のブルーランプの陽極（即ち当該実施例においてはＢ原色陽極）に接続し、第３端子（即ち制御端子）が第１のＢ表示制御ポートに接続する１つまたは複数の定電流ロジック素子を含んでもよい。
【００６７】
図６ｃに示すＬＥＤ粒子は図６ｂにおける点線部分に含まれるＥ１の局部拡大図であり、ピン４は共通陰極で、２／３／４はそれぞれＢ／Ｇ／Ｒ三原色発光ダイオードの陽極である。
【００６８】
その中、当該実施例において、表示駆動回路３０の外部ピンＶＣＣＲの給電電圧は外部ピンＶＣＣＧ／ＶＣＣＢの給電電圧より低くしてもよい。具体的には、ＶＣＣＲの給電電圧は１．６Ｖで、当該電圧値はグリーン、ブルー発光ダイオードの作業電圧（３．４〜３．６Ｖ）からレッド発光ダイオードの作業電圧（１．８〜２Ｖ）を引いて得られるもので、Ｒ／Ｇ／Ｂ原色発光ダイオードの給電電圧に対して差別化制御をすることで、ＬＥＤディスプレイの電力消費を低減することができる。
【００６９】
実施例二において、ＬＥＤ表示パネル１０（ＬＥＤユニットともいう）はＭ行＊Ｎ列ＬＥＤ粒子のマトリックス配列を含み、単一行のＬＥＤ粒子の陰極が第ｉノードに相互接続し、各ノードを表示駆動回路３０のスイッチ回路３１における１つのＮ−ＭＯＳトランジスタのドレンに対応する出力ピンに接続させ、単一列のＬＥＤ粒子の同一原色の陽極が表示駆動回路３０の第１の定電流チャネルグループの定電流ロジック素子の入力端子に相互接続し、即ち単一列のＬＥＤ粒子におけるＲ発光ダイオードの共同陽極が表示駆動回路３０の第２の定電流チャネルグループの定電流ロジック素子の入力端子に相互接続し、単一列のＬＥＤ粒子におけるＧ原色発光ダイオードの共同陽極が表示駆動回路３０の定電流チャネルグループの定電流ロジック素子の入力端子に相互接続し、単一列のＬＥＤ粒子におけるＢ原色発光ダイオードの共同陽極が表示駆動回路３０の第３の定電流チャネルグループの定電流ロジック素子の入力端子に接続する。表示駆動回路３０の制御の元で、給電制御回路３５１は給電制御ポートによりサブスイッチ回路３１（当該サブスイッチ回路３１はＮ−ＭＯＳチャネルグループであってもよい）におけるあるＮ−ＭＯＳトランジスタがオープン状態になるように制御し、ＬＥＤ表示パネル１０の対応する行のＬＥＤ粒子の陽極に給電し、駆動制御回路３５３は第１のＲ表示制御サブポート／第１のＧ表示制御サブポート／第１のＢ表示制御サブポートによりＲ表示制御信号／Ｇ表示制御信号／Ｂ表示制御信号を第１の定電流チャネルグループ／第２の定電流チャネルグループ／第３の定電流チャネルグループの各定電流ロジック素子に出力し、３つの定電流チャネルグループにおける各定電流ロジック素子が導通する作業状態になるように制御することによって、対応する列のＬＥＤ粒子のＲ原色陽極、Ｇ原色陽極、及びＢ原色陽極に電流通路を提供し、ＬＥＤユニットの順序正しい表示を実現する。対応する列のＬＥＤ粒子のＲ原色陽極、Ｇ原色陽極、Ｂ原色陽極は、それぞれ対応する列のＬＥＤ粒子のレッドランプ、グリーンランプ、およびブルーランプの陽極である。
【００７０】
実施例三と四
図７ａ〜図７ｅは本出願の実施例三に係るＬＥＤディスプレイの構造を示す図である。図８ａ〜図８ｃは本出願の実施例四に係るＬＥＤディスプレイの構造を示す図である。図７ｂと図８ｂは、それぞれ２種類の実施形態における図７ａの点線部分に含まれるＦ部分と図８ａの点線部分に含まれるＨ部分の局部拡大図である。図７ｃにおけるＬＥＤ粒子の中の三原色発光ダイオードが直接ＬＥＤ粒子に集積されるが、図８ｃにおけるＬＥＤ粒子における三原色発光ダイオードがそれぞれパッケージされてから当該ＬＥＤ粒子に集積され、これを除いて、２種類の実施形態の回路接続関係は同様であってもよい。その中、図７ｃにおける各ＬＥＤ粒子の陽極には１、２、３の３つのピンがあり、内部のＲ／Ｇ／Ｂ原色発光ダイオードの陽極に対応し、陰極には４、５、６の３つのピンがあり、それぞれ内部のＢ／Ｇ／Ｒ原色発光ダイオードの陰極に対応する。図８ｃに示すように、Ｒ／Ｇ／Ｂ原色発光ダイオードの陽極はピン１で、陰極がピン２で、Ｒ／Ｇ／Ｂ原色発光ダイオードが１つのＬＥＤ粒子（即ちフルカラー画素ポイント）として並行して溶接されている。
【００７１】
具体的には、図７ｅと図８ａに示すように、電界効果トランジスタはＮ−ＭＯＳトランジスタであってもよく、ＬＥＤ表示パネル１０はＭ行Ｎ列のＬＥＤ粒子を含み、各ＬＥＤ粒子はそれぞれレッドランプ、グリーンランプ、およびブルーランプを含み、各行の各ＬＥＤ粒子におけるレッドランプの陰極、グリーンランプの陰極、およびブルーランプの陰極が並列接続し、それぞれスイッチ回路３１における対応する１つのＮ−ＭＯＳトランジスタのドレンに接続する。各列における各ＬＥＤ粒子のレッドランプの陽極がそれぞれ並列接続し、それぞれ第１の定電流チャネルグループにおける対応する１つの定電流ロジック素子の第２端子に接続し、各列における各ＬＥＤ粒子のグリーンランプの陽極がそれぞれ並列接続し、それぞれ第２の定電流チャネルグループにおける対応する１つの定電流ロジック素子の第２端子に接続し、各列における各ＬＥＤ粒子のブルーランプの陽極がそれぞれ並列接続し、それぞれ第３の定電流チャネルグループにおける対応する１つの定電流ロジック素子の第２端子に接続する。
【００７２】
実施例三と四において、ＬＥＤ表示パネル１０における単一行のＬＥＤ粒子の陽極が表示駆動回路３０のスイッチ回路３１の一つのＮ−ＭＯＳトランジスタのドレンに対応する出力ピンに接続し、単一行のＬＥＤ粒子の陰極が第ｉノードに相互接続し、各ノードを表示駆動回路３０のスイッチ回路３１における１つのＮ−ＭＯＳトランジスタのドレンに対応する出力ピンに接続させ、単一列のＬＥＤ粒子の同一原色の陽極が表示駆動回路３０の第１の定電流チャネルグループの定電流ロジック素子の入力端子に相互接続し、即ち単一列のＬＥＤ粒子におけるＲ原色発光ダイオードの共同陽極が表示駆動回路３０の第２の定電流チャネルグループの定電流ロジック素子の入力端子に相互接続し、単一列のＬＥＤ粒子におけるＧ原色発光ダイオードの共同陽極が表示駆動回路３０の定電流チャネルグループの定電流ロジック素子の入力端子に相互接続し、単一列のＬＥＤ粒子におけるＢ原色発光ダイオードの共同陽極が表示駆動回路３０の第３の定電流チャネルグループの定電流ロジック素子の入力端子に接続する。
【００７３】
実施例三と四に示された技術案に基づき、第１種類の変形した実施形態があってもよい。
【００７４】
当該実施形態において、スイッチ回路３１は、それぞれ１つまたは複数の電界効果トランジスタを有する第１のサブスイッチ回路と第２のサブスイッチ回路とを含む、且つ第１のサブスイッチ回路と第２のサブスイッチ回路とのそれぞれの電界効果トランジスタのソースがそれぞれ給電装置の電源端子または接地端子に接続し、その中、第１のサブスイッチ回路における各電界効果トランジスタのドレンはそれぞれＬＥＤ表示パネルにおける対応する行の各ＬＥＤ粒子の中のレッドランプの陽極または陰極に接続し、各電界効果トランジスタのゲートはそれぞれ給電制御ポートにおける対応する配線端子に接続し、ＬＥＤ表示パネルのレッドランプの給電を制御する。第２のサブスイッチ回路における各電界効果トランジスタのドレンはそれぞれＬＥＤ表示パネルにおける対応する行の各ＬＥＤ粒子の中のグリーンランプとブルーランプの陽極または陰極に接続し、各電界効果トランジスタのゲートはそれぞれ給電制御ポートにおける対応する配線端子に接続し、ＬＥＤ表示パネルのグリーンランプとブルーランプの給電を制御する。
【００７５】
当該実施形態において、駆動回路３３は、第１端子がそれぞれ給電装置の電源端子または接地端子に接続し、第２端子がそれぞれＬＥＤ表示パネル１０における対応する列のＬＥＤ粒子の陽極または陰極に接続し、第３端子がそれぞれ駆動制御ポートにおける対応する配線端子に接続する１つまたは複数の定電流ロジック素子を含む定電流チャネルグループを１つ含んでもよい。
【００７６】
また、当該実施例において、給電制御回路３５１は第１のサブスイッチ回路における１つの電界効果トランジスタのオープンを制御し、第１のサブスイッチ回路における電界効果トランジスタに対応するＬＥＤ表示パネル１０の行におけるＬＥＤ粒子の中のレッドランプに対して給電する。給電制御回路３５１はさらに第２のサブスイッチ回路における第１のサブスイッチ回路の中の１つの電界効果トランジスタに対応する電界効果トランジスタのオープンを制御し、第１のサブスイッチ回路の電界効果トランジスタに対応するＬＥＤ表示パネル１０の行におけるＬＥＤ粒子の中のグリーンランプとブルーランプに対して給電する。駆動制御回路３５３は定電流チャネルグループにおける各定電流ロジック素子の導通を制御し、各定電流ロジック素子が導通されてから、それぞれ定電流ロジック素子に対応するＬＥＤ表示パネル１０の列におけるＬＥＤ粒子に電流通路を提供し、電界効果トランジスタに対応するＬＥＤ表示パネル１０における行のＬＥＤ粒子の順序正しい表示を制御する。
【００７７】
スイッチ回路３１、駆動回路３３、および制御回路３５を表示駆動回路３０に集積させ、元ＬＥＤ表示パネル１０の面積を変更せずに、より多くの表示駆動回路３０が配置でき、一定の面積のＬＥＤディスプレイにおいて、ＬＥＤ粒子と表示駆動回路３０との数量比が減少し、リフレッシュレートが高められている。
【００７８】
当該実施例における表示駆動回路３０の電界効果トランジスタがＰ−ＭＯＳトランジスタであってもよく、ＬＥＤ表示パネル１０には、Ｍ行Ｎ列のＬＥＤ粒子を含んでもよく、各ＬＥＤ粒子には、それぞれレッドランプ、グリーンランプ、およびブルーランプを含み、各行におけるｉ個目のＬＥＤ粒子の中のレッドランプの陽極が第ｉノードに並列接続し、各行における各ノードが並列接続し、それぞれ第１のサブスイッチ回路３１における対応する１つのＰ−ＭＯＳトランジスタのドレンに接続する。各行におけるｊ個目のＬＥＤ粒子におけるグリーンランプの陽極とブルーランプの陽極とが第ｊノードに並列接続し、各行における各ノードが並列接続し、第２のサブスイッチ回路３１における対応する１つのＰ−ＭＯＳトランジスタのドレンに接続する。各列における各ＬＥＤ粒子のレッドランプの陰極がそれぞれ並列接続し、それぞれ定電流チャネルグループにおける対応する１つの定電流ロジック素子の第２端子に接続し、各列における各ＬＥＤ粒子のグリーンランプの陰極がそれぞれ並列接続し、それぞれ定電流チャネルグループにおける対応する１つの定電流ロジック素子の第２端子に接続し、各列における各ＬＥＤ粒子のブルーランプの陰極がそれぞれ並列接続し、それぞれ定電流チャネルグループにおける対応する１つの定電流ロジック素子の第２端子に接続する。ここで、１≦ｉ≦Ｎ、１≦ｊ≦Ｎ、ｉとｊはいずれも自然数で、レッドランプ、グリーンランプおよびブルーランプはそれぞれＲ／Ｇ／Ｂ原色発光ダイオードであってもよい。
【００７９】
当該実施形態において、表示駆動回路３０には、第１のサブスイッチ回路と第２のサブスイッチ回路とが集積され、２つのサブスイッチ回路にはそれぞれ１つまたは複数のＰ−ＭＯＳトランジスタを含み、第１のサブスイッチ回路のＰ−ＭＯＳトランジスタのソースが相互接続し表示駆動回路３０の外部ピンＶＣＣＢとして、給電装置の電源端子の１つの配線端子に接続し、ゲートが給電制御ポートのレッド給電制御信号に接続し、ドレンがＬＥＤ表示パネル１０の対応する行のＬＥＤ粒子のレッドランプの陽極（即ち対応する行のＬＥＤ粒子のＲ原色陽極）に接続する。第２のサブスイッチ回路のＰ−ＭＯＳトランジスタのソースが相互接続し、表示駆動回路３０の外部ピンＶＣＣＡとして給電装置の電源端子の１つの配線端子に接続し、ゲートが給電制御ポートのグリーンとブルー給電制御信号に接続し、ドレンがＬＥＤ表示パネル１０の対応する行のＬＥＤ粒子のグリーンランプとブルーランプの陽極（即ち対応する行のＬＥＤ粒子のＧ原色陽極とＢ原色陽極）に接続する。
【００８０】
駆動回路３３は実施例一に示された駆動回路と同様であってもよく、当該駆動回路３３には定電流ロジック素子（定電流ロジック回路ともいう）を複数有する定電流チャネルグループを１グループ含んでもよく、各定電流ロジック素子の第２端子（即ち入力端子）がそれぞれ表示駆動回路３０の入力ピンの中の１つとし、すべての定電流ロジック素子の第１端子（即ち出力端子）の内部が相互接続し、表示駆動回路３０の接地端子（即ちＧＮＤ端子）に接続し、定電流ロジック素子の第３端子（即ち制御端子）が制御回路３５の駆動制御ポートに接続し、駆動回路３３の定電流制御信号を受信する。
【００８１】
当該実施形態において、ＬＥＤ表示パネル１０の各行におけるｉ個目のＬＥＤ粒子の中のレッドランプの陽極が第ｉノードに並列接続し、各行における各ノードが並列接続し、それぞれ第１のサブスイッチ回路３１における対応する１つのＰ−ＭＯＳトランジスタのドレンに接続する。各行におけるｊ個目のＬＥＤ粒子におけるグリーンランプの陽極とブルーランプの陽極とが第ｊノードに並列接続し、各行における各ノードが並列接続し、それぞれ第２のサブスイッチ回路３１における対応する１つのＰ−ＭＯＳトランジスタのドレンに接続する。単一列における各ＬＥＤ粒子における同一原色の陰極が表示駆動回路３０の定電流チャネルグループの定電流ロジック素子の入力端子に相互接続し、即ち単一列におけるＬＥＤ粒子のレッドランプ（即ちＲ原色表示ユニット）の共同陰極が表示駆動回路３０の定電流チャネルグループの定電流ロジック素子の入力端子に接続し、単一列のＬＥＤ粒子のグリーンランプ（即ちＧ原色表示ユニット）の共同陰極が表示駆動回路３０の定電流チャネルグループの定電流ロジック素子の入力端子に接続し、単一列のＬＥＤ粒子のブルーランプ（即ちＢ原色表示ユニット）の共同陰極が表示駆動回路３０の定電流チャネルグループの定電流ロジック素子の入力端子に接続する。
【００８２】
上記実施形態において、第１のサブスイッチ回路と第２のサブスイッチ回路との給電電圧が異なってもよく、ＶＣＣＢ給電電圧は好ましくは１．６Ｖであり、当該給電電圧はピンＶＣＣＡの給電電圧より低くてもよい。この１．６Ｖの電圧値はグリーン、ブルー発光ダイオードの典型作業電圧（３．４〜３．６Ｖ）からレッド発光ダイオードの典型作業電圧（１．８〜２Ｖ）を引いて得られるもので、こうして、Ｒ／Ｇ／Ｂ原色発光ダイオードの給電電圧に対して差別化制御をすることができ、ＬＥＤディスプレイの電力消費を低減することができる。
【００８３】
当該実施形態において、表示駆動回路３０の給電制御回路３５１は給電制御ポートによりそれぞれ第１のサブスイッチ回路と第２のサブスイッチ回路における対応するＰ−ＭＯＳトランジスタがオープン状態になるように制御し、それぞれＬＥＤ表示パネル１０の対応する行のＬＥＤ粒子のＲ原色発光ダイオードとＧ／Ｂ原色発光ダイオードの陽極に給電し、駆動制御回路３５３はそれぞれ第１のＲ表示制御駆サブポート／第１のＧ表示制御サブポート／第１のＢ表示制御サブポートにより、Ｒ表示制御信号／Ｇ表示制御信号／Ｂ表示制御信号を第１の定電流チャネルグループ／第２の定電流チャネルグループ／第３の定電流チャネルグループにおける各定電流ロジック素子に出力し、３つの定電流チャネルグループにおける各定電流ロジック素子が導通する作業状態になるようにそれぞれ制御することによって、対応する列のＬＥＤ粒子のＲ原色陰極、Ｇ原色陰極、およびＢ原色陰極に電流通路を提供し、ＬＥＤの順序正しい表示を実現する。
【００８４】
実施例三および四の第１種類の変形実施形態に示された技術案に基づき、さらに以下のような変形形態があってもよい。
【００８５】
ＬＥＤ表示パネル１０は以下のような実施形態により実現されてもよい。電界効果トランジスタはＰ−ＭＯＳトランジスタであってもよく、ＬＥＤ表示パネルはＭ行Ｎ列のＬＥＤ粒子を含んでもよく、各ＬＥＤ粒子はそれぞれレッドランプ、グリーンランプ、およびブルーランプを含み、各行の各ＬＥＤ粒子におけるレッドランプの陰極が並列接続し、それぞれ第１のサブスイッチ回路における対応する１つのＰ−ＭＯＳトランジスタのドレンに接続する。各行における各ＬＥＤ粒子におけるグリーンランプの陽極とブルーランプの陽極とが並列接続し、それぞれ第２のサブスイッチ回路における対応する１つのＰ−ＭＯＳトランジスタのドレンに接続する。各列における各ＬＥＤ粒子のレッドランプの陰極がそれぞれ並列接続し、それぞれ定電流チャネルグループにおける対応する１つの定電流ロジック素子の第２端子に接続し、各列における各ＬＥＤ粒子のグリーンランプの陰極がそれぞれ並列接続し、それぞれ定電流チャネルグループにおける対応する１つの定電流ロジック素子の第２端子に接続し、また、各列における各ＬＥＤ粒子のブルーランプの陰極がそれぞれ並列接続し、それぞれ定電流チャネルグループにおける対応する１つの定電流ロジック素子の第２端子に接続する。
【００８６】
具体的には、ＬＥＤ表示パネル１０における各行のＬＥＤ粒子の中のレッドランプの陽極が第１のサブスイッチ回路における対応する１つのＰ−ＭＯＳトランジスタのドレンに並列接続し、各行におけるＬＥＤ粒子の中のグリーンランプの陽極とブルーランプの陽極とが第２のサブスイッチ回路における対応する１つのＰ−ＭＯＳトランジスタのドレンに並列接続する。単一列のＬＥＤ粒子における同一原色の陰極が定電流チャネルグループの定電流ロジック素子の入力端子に相互接続し、即ち単一列のＬＥＤ粒子におけるＲ原色発光ダイオードの共同陰極が表示駆動回路３０の定電流チャネルグループの定電流ロジック素子の入力端子に相互接続し、単一列のＬＥＤ粒子の中のＧ原色発光ダイオードの共同陰極が表示駆動回路３０の定電流チャネルグループの定電流ロジック素子の入力端子に相互接続し、単一列のＬＥＤ粒子の中のＢ原色発光ダイオードの共同陰極が表示駆動回路３０の定電流チャネルグループの定電流ロジック素子の入力端子に相互接続する。
【００８７】
実施例三と四の第１種類の変形した実施形態に示された技術案に基づき、さらに以下のような２種類の変形形態があってもよい。
【００８８】
第１種類：電界効果トランジスタはＮ−ＭＯＳトランジスタであってもよく、ＬＥＤ表示パネル１０はＭ行Ｎ列のＬＥＤ粒子を含んでもよく、各ＬＥＤ粒子はそれぞれレッドランプ、グリーンランプ、およびブルーランプを含み、各行の各ＬＥＤ粒子におけるレッドランプの陰極が並列接続し、それぞれ第１のサブスイッチ回路における対応する１つのＮ−ＭＯＳトランジスタのドレンに接続する。各行における各ＬＥＤ粒子におけるグリーンランプの陰極とブルーランプの陰極とが並列接続し、それぞれ第２のサブスイッチ回路における対応する１つのＮ−ＭＯＳトランジスタのドレンに接続する。各列における各ＬＥＤ粒子のレッドランプの陽極がそれぞれ並列接続し、それぞれ定電流チャネルグループにおける対応する１つの定電流ロジック素子の第２端子に接続し、各列における各ＬＥＤ粒子のグリーンランプの陽極がそれぞれ並列接続し、それぞれ定電流チャネルグループにおける対応する１つの定電流ロジック素子の第２端子に接続し、また、各列における各ＬＥＤ粒子のブルーランプの陽極がそれぞれ並列接続し、それぞれ定電流チャネルグループにおける対応する１つの定電流ロジック素子の第２端子に接続する。
【００８９】
第２種類：電界効果トランジスタがＮ−ＭＯＳトランジスタで、ＬＥＤ表示パネル１０はＭ行Ｎ列のＬＥＤ粒子を含み、各ＬＥＤ粒子はそれぞれレッドランプ、グリーンランプ、およびブルーランプを含み、各行におけるｉ個目のＬＥＤ粒子の中のレッドランプの陰極が第ｉノードに並列接続し、各行における各ノードが並列接続し、それぞれ第１のサブスイッチ回路３１における対応する１つのＮ−ＭＯＳトランジスタのドレンに接続する。各行におけるｊ個目のＬＥＤ粒子におけるグリーンランプの陰極とブルーランプの陰極とが第ｊノードに並列接続し、各行における各ノードが並列接続し、それぞれ第２のサブスイッチ回路３１における対応する１つのＮ−ＭＯＳトランジスタのドレンに接続する。各列における各ＬＥＤ粒子のレッドランプの陽極がそれぞれ並列接続し、それぞれ定電流チャネルグループにおける対応する１つの定電流ロジック素子の第２端子に接続し、各列における各ＬＥＤ粒子のグリーンランプの陽極がそれぞれ並列接続し、それぞれ定電流チャネルグループにおける対応する１つの定電流ロジック素子の第２端子に接続し、各列における各ＬＥＤ粒子のブルーランプの陽極がそれぞれ並列接続し、それぞれ定電流チャネルグループにおける対応する１つの定電流ロジック素子の第２端子に接続する。
【００９０】
当該実施例において、表示駆動回路３０には、第１のサブスイッチ回路と第２のサブスイッチ回路が集積され、２つのサブスイッチ回路３１にはそれぞれ１つまたは複数のＮ−ＭＯＳトランジスタを含む。第１のサブスイッチ回路のＮ−ＭＯＳトランジスタのソースが相互接続し、表示駆動回路３０の外部ピンＧＮＤとして給電装置の電源端子の１つの配線端子に接続し、ゲートが給電制御ポートのレッド給電制御信号に接続し、ドレンがＬＥＤ表示パネル１０の対応する行のＬＥＤ粒子のレッドランプの陽極（即ち対応する行のＬＥＤ粒子のＲ原色陽極）に接続する。第２のサブスイッチ回路のＮ−ＭＯＳトランジスタのソースが相互接続し、表示駆動回路３０の外部ピンＧＮＤとして給電装置の電源端子の１つの配線端子に接続し、ゲートが給電制御ポートのグループとブルー給電制御信号に接続し、ドレンがＬＥＤ表示パネル１０の対応する行のＬＥＤ粒子のグリーンランプとブルーランプの陽極（即ち対応する行のＬＥＤ粒子のＧ原色陽極とＢ原色陽極）に接続する。
【００９１】
駆動回路３３は実施例一に示された駆動回路３３と同様であってもよく、当該駆動回路３３には定電流ロジック素子（定電流ロジック回路ともいう）を複数有する定電流チャネルグループを１グループ含んでもよく、各定電流ロジック素子の第２端子（即ち入力端子）がそれぞれ表示駆動回路３０の入力ピンの中の１つとし、すべての定電流ロジック素子の第１端子（即ち出力端子）の内部が相互接続し、表示駆動回路３０のＶＣＣ端子として給電装置の電源端子に接続し、定電流ロジック素子の第３端子（即ち制御端子）が制御回路３５の駆動制御ポートに接続し、駆動回路３３の定電流制御信号を受信する。
【００９２】
具体的には、当該変形形態の第１種類の実施形態において、各行のｉ個目のＬＥＤ粒子の中のレッドランプの陰極が第ｉノードに並列接続し、各行における各ノードが並列接続し、それぞれ第１のサブスイッチ回路における対応する１つのＮ−ＭＯＳトランジスタのドレンに接続する。各行におけるｊ個目のＬＥＤ粒子の中のグリーンランプの陰極とブルーランプの陰極とが第ｊノードに並列接続し、各行における各ノードが並列接続し、第２のサブスイッチ回路における対応する１つのＮ−ＭＯＳトランジスタのドレンに接続する。単一列のＬＥＤ粒子の中のＲ原色発光ダイオードの共同陽極が定電流チャネルグループの定電流ロジック素子の入力端子に相互接続し、単一列のＬＥＤ粒子の中のＧ原色発光ダイオードの共同陽極が定電流チャネルグループの定電流ロジック素子の入力端子に相互接続し、単一列のＬＥＤ粒子の中のＢ原色発光ダイオードの共同陽極が定電流チャネルグループの定電流ロジック素子の入力端子に相互接続する。
【００９３】
第２種類の実施形態において、各行における各ＬＥＤ粒子の中のレッドランプの陰極は内部で相互接続し、それぞれ第１のサブスイッチ回路における対応する１つのＮ−ＭＯＳトランジスタのドレンに接続し、各行における各ＬＥＤ粒子の中のグリーンランプとブルーランプの陰極が相互接続し、それぞれ第２のサブスイッチ回路における対応する１つのＮ−ＭＯＳトランジスタのドレンに接続する。単一列のＬＥＤ粒子の中のＲ原色発光ダイオードの共同陽極が表示駆動回路３０の定電流チャネルグループの定電流ロジック素子の入力端子に相互接続し、単一列のＬＥＤ粒子の中のＧ原色発光ダイオードの共同陽極が定電流チャネルグループの定電流ロジック素子の入力端子に接続し、単一列のＬＥＤ粒子の中のＢ原色発光ダイオードの共同陽極が定電流チャネルグループの定電流ロジック素子の入力端子に相互接続する。
【００９４】
実施例五と六
具体的には、表示駆動回路３０のスイッチ回路３１は第１のサブスイッチ回路と第２のサブスイッチ回路を含み、駆動回路３３は第１の定電流チャネルグループ、第２の定電流チャネルグループおよび第３の定電流チャネルグループを含み、その中、第１のサブスイッチ回路と第２のサブスイッチ回路の構造は実施例一の第１種類の実施形態と同様であってもよく、且つ第１の定電流チャネルグループは、第１端子がそれぞれ給電装置の電源端子または接地端子に接続し、第３端子がそれぞれ駆動制御ポートの第１のＲ表示制御サブポートに接続し、第２端子がそれぞれＬＥＤ表示パネル１０に対応する列の各ＬＥＤ粒子の中のレッドランプの陽極または陰極に接続して、ＬＥＤ表示パネル１０のレッドランプの表示を制御する１つまたは複数の定電流ロジック素子を含む。第２の定電流チャネルグループは、第１端子がそれぞれ給電装置の電源端子または接地端子に接続し、第３端子がそれぞれ駆動制御ポートの第１のＧ表示制御サブポートに接続し、第２端子がそれぞれＬＥＤ表示パネル１０に対応する列の各ＬＥＤ粒子の中のグリーンランプの陽極または陰極に接続して、ＬＥＤ表示パネル１０のグリーンランプの表示を制御する１つまたは複数の定電流ロジック素子を含む。第３の定電流チャネルグループは、第１端子がそれぞれ給電装置の電源端子または接地端子に接続し、第３端子がそれぞれ駆動制御ポートの第１のＢ表示制御サブポートに接続し、第２端子がそれぞれＬＥＤ表示パネル１０に対応する列の各ＬＥＤ粒子の中のブルーランプの陽極または陰極に接続して、ＬＥＤ表示パネル１０のブルーランプの表示を制御する１つまたは複数の定電流ロジック素子を含む。その中、第１の定電流チャネルグループはＲ原色定電流チャネルグループで、第２の定電流チャネルグループはＧ原色の定電流チャネルグループで、第３の定電流チャネルグループはＢ原色の定電流チャネルグループであってもよい。
【００９５】
具体的には、制御回路３５における給電制御回路３５１は第１のサブスイッチ回路における１つの電界効果トランジスタのオープンを制御し、第１のサブスイッチ回路における電界効果トランジスタに対応するＬＥＤ表示パネル１０の行におけるＬＥＤ粒子の中のレッドランプに対して給電する。給電制御回路３５１はさらに第２のサブスイッチ回路における第１のサブスイッチ回路の中の各電界効果トランジスタに対応する電界効果トランジスタのオープンを制御し、第１のサブスイッチ回路の電界効果トランジスタに対応するＬＥＤ表示パネル１０の行におけるＬＥＤ粒子の中のグリーンランプとブルーランプに対して給電する。駆動制御回路３５３は第１のＲ表示制御サブポートにより第１の定電流チャネルグループにおける各定電流ロジック素子の導通を制御し、各定電流ロジック素子が導通されてから、それぞれ定電流ロジック素子に対応するＬＥＤ表示パネル１０の列におけるＬＥＤ粒子の中のレッドランプに電流通路を提供し、電界効果トランジスタに対応するＬＥＤ表示パネル１０における行のＬＥＤ粒子の中のレッドランプの表示を制御する。駆動制御回路３５３はさらに第１のＧ表示制御サブポートにより第２の定電流チャネルグループにおける各定電流ロジック素子の導通を制御し、各定電流ロジック素子が導通されてから、それぞれ定電流ロジック素子に対応するＬＥＤ表示パネル１０の列におけるＬＥＤ粒子の中のグリーンランプに電流通路を提供し、電界効果トランジスタに対応するＬＥＤ表示パネル１０における行のＬＥＤ粒子の中のグリーンランプの表示を制御する。駆動制御回路３５３はさらに第１のＢ表示制御サブポートにより第３の定電流チャネルグループにおける各定電流ロジック素子の導通を制御し、各定電流ロジック素子が導通されてから、それぞれ定電流ロジック素子に対応するＬＥＤ表示パネル１０の列におけるＬＥＤ粒子の中のブルーランプに電流通路を提供し、電界効果トランジスタに対応するＬＥＤ表示パネル１０における行のＬＥＤ粒子の中のブルーランプの表示を制御する。
【００９６】
ここで、上記実施例の３グループの定電流チャネルグループはそれぞれＬＥＤ表示パネル１０におけるレッドランプ、グリーンランプ、およびブルーランプ（Ｒ／Ｇ／Ｂ三原色発光ダイオードであってもよい）の定電流表示を制御し、スイッチ回路３１における第１のサブスイッチ回路３１と第２のサブスイッチ回路３１（２つのサブスイッチ回路３１はそれぞれ１グループのＰ−ＭＯＳトランジスタにより構成されるチャネルであってもよく、Ｐ−ＭＯＳチャネルという）は、それぞれＬＥＤ表示パネル１０におけるＲ／Ｇ／Ｂ三原色発光ダイオードの給電を制御し、且つ表示駆動回路３０における給電制御回路３５１と駆動制御回路３５３はそれぞれスイッチ回路３１と駆動回路３３の作業状態を制御する。
【００９７】
それに応じて、給電制御ポートは、第１のサブスイッチ回路（即ち図９に示すＶＣＣＢ給電のＰ−ＭＯＳチャネルグループ）に第１の給電制御信号を送信する第１の給電制御ポートと、第２のサブスイッチ回路（即ちＶＣＣＡ給電のＰ−ＭＯＳチャネルグループ）に第２の給電制御信号を送信する第２の給電制御ポートとを含む。駆動制御ポートは、それぞれＲ／Ｇ／Ｂ原色定電流チャネルグループに第２のＲ／Ｇ／Ｂ表示制御信号を送信する第２のＲ／Ｇ／Ｂ表示制御サブポートを含む。
【００９８】
図９ａから図９ｃは本出願の実施例七に係るＬＥＤディスプレイの構造を示す図である。図１０ａから図１０ｅは本出願の実施例七に係るＬＥＤディスプレイの構造を示す図である。図９ｂと１０ｂはそれぞれ２種類の実施形態における図９ａの点線部分に含まれるＩ部分と図１０ａの点線部分に含まれるＪ部分の局部拡大図である。図９ｃにおけるＬＥＤ粒子の中の三原色発光ダイオードが直接当該ＬＥＤ粒子に集積されるが、図１０ｃにおけるＬＥＤ粒子における三原色発光ダイオードがそれぞれパッケージされてから当該ＬＥＤ粒子に集積され、これを除いて、２種類の実施形態の回路接続関係は同様であってもよい。ここで、図９ｃと図９ｄにおける各ＬＥＤ粒子の陽極には１、２、３の３つのピンがあり、内部のＲ／Ｇ／Ｂ原色発光ダイオードの陽極に対応し、陰極には４、５、６の３つのピンがあり、それぞれ内部のＢ／Ｇ／Ｒ原色発光ダイオードの陰極に対応する。図１０ｃに示すように、Ｒ／Ｇ／Ｂ原色発光ダイオードの陽極はピン１で、陰極がピン２、Ｒ／Ｇ／Ｂ原色発光ダイオードが１つのＬＥＤ粒子（即ちフルカラー画素ポイント）として並行して溶接されている。
【００９９】
具体的には、表示駆動回路３０には、それぞれＬＥＤ表示パネル１０におけるＲ／Ｇ／Ｂ三原色ダイオードの定電流表示を制御する３グループの定電流チャネルグループと、ＬＥＤユニット基板におけるＲ／Ｇ／Ｂ三原色ダイオードの給電を制御する２グループのＰ−ＭＯＳチャネルと、定電流チャネルグループおよびＰ−ＭＯＳチャネルの協調作業を制御する制御回路３５とが集積されている。
【０１００】
実施例五と六において、図１０ｄに示すように、図１０ａにおける点線部分に含まれるＫ部分の電界効果トランジスタはＰ−ＭＯＳトランジスタであってもよく、図１０ｅには図１０ｄにおける点線部分に含まれるＫ１部分のＰ−ＭＯＳトランジスタの構造が示されている。ＬＥＤ表示パネル１０には、Ｍ行Ｎ列のＬＥＤ粒子を含み、各ＬＥＤ粒子はそれぞれレッドランプ、グリーンランプ、およびブルーランプを含み、各行の各ＬＥＤ粒子におけるレッドランプの陽極が並列接続し、それぞれ第１のサブスイッチ回路における対応する１つのＰ−ＭＯＳトランジスタのドレンに接続する。各行の各ＬＥＤ粒子におけるグリーンランプの陽極とブルーランプの陽極とが並列接続し、ＬＥＤ表示パネル１０の陽極の１つの配線端子として、第２のサブスイッチ回路における対応する１つのＰ−ＭＯＳトランジスタのドレンに接続する。各列における各ＬＥＤ粒子のレッドランプの陰極がそれぞれ並列接続し、それぞれ第１の定電流チャネルグループにおける対応する１つの定電流ロジック素子の第２端子に接続し、各列における各ＬＥＤ粒子のグリーンランプの陰極がそれぞれ並列接続し、それぞれ第２の定電流チャネルグループにおける対応する１つの定電流ロジック素子の第２端子に接続する。各列における各ＬＥＤ粒子のブルーランプの陰極がそれぞれ並列接続し、それぞれ第３の定電流チャネルグループにおける対応する１つの定電流ロジック素子の第２端子に接続する。
【０１０１】
第１のサブスイッチ回路には、ソースが表示駆動回路３０（３０２４）の外部ピンＶＣＣＢに相互接続し、ゲートが第１の給電制御ポートに接続し、ドレンがＬＥＤ表示パネル１０の対応する行のＬＥＤ粒子のＲ原色陽極（図９ａには単一行のＬＥＤ粒子であるが、単一行のＬＥＤ粒子でなくてもよい）に接続する１つまたは複数のＰ−ＭＯＳトランジスタを含む。第２のサブスイッチ回路には、ソースが表示駆動回路３０（３０２４）の外部ピンＶＣＣＡに相互接続し、ゲートが第２の給電制御ポートに接続し、ドレンがＬＥＤ表示パネル１０の対応する行のＬＥＤ粒子のＧとＢ原色陽極（図９ａには単一行のＬＥＤ粒子であるが、単一行のＬＥＤ粒子でなくてもよい）に接続する１つまたは複数のＰ−ＭＯＳトランジスタを含む。
【０１０２】
また、Ｒ原色定電流チャネルグループには、入力端子がＬＥＤ表示パネル１０の対応する列のＬＥＤ粒子のＲ原色陰極に接続し、出力端子が表示駆動回路３０の外部ピンＧＮＤに相互接続し、制御端子が第１のＲ表示制御サブポートに接続する１つまたは複数の定電流ロジック素子を含んでもよい。Ｇ原色定電流チャネルグループには、入力端子がＬＥＤ表示パネル１０の対応する列のＬＥＤ粒子のＧ原色陰極に接続し、出力端子が表示駆動回路３０の外部ピンＧＮＤに相互接続し、制御端子が第１のＧ表示制御サブポートに接続する１つまたは複数の定電流ロジック素子を含んでもよい。Ｂ原色定電流チャネルグループには、入力端子がＬＥＤ表示パネル１０の対応する列のＬＥＤ粒子のＢ原色陰極に接続し、出力端子が表示駆動回路３０の外部ピンＧＮＤに相互接続し、制御端子が第１のＢ表示制御サブポートに接続する１つまたは複数の定電流ロジック素子を含んでもよい。
【０１０３】
表示駆動回路３０の制御の元で、給電制御回路３５１は給電制御ポートにより第１のサブスイッチ回路３１と第２のサブスイッチ回路３１における対応する２つのＰ−ＭＯＳトランジスタがオープン状態になるように制御し、それぞれＬＥＤ表示パネル１０の対応する行のＬＥＤ粒子のＲ原色発光ダイオードとＧ／Ｂ原色発光ダイオードに給電し、駆動制御回路３５３はそれぞれ第２のＲ表示制御サブポート／第２のＧ表示制御サブポート／第２のＢ表示制御サブポートにより、Ｒ表示制御信号／Ｇ表示制御信号／Ｂ表示制御信号を第１の定電流チャネルグループ／第２の定電流チャネルグループ／第３の定電流チャネルグループの各定電流ロジック素子に出力し、３つの定電流チャネルグループにおける各定電流ロジック素子が導通する作業状態になるようにそれぞれ制御することによって、対応する列のＬＥＤ粒子のＲ原色陰極、Ｇ原色陰極、及びＢ原色陽極に電流通路を提供し、ＬＥＤの順序正しい表示を実現する。
【０１０４】
上記実施形態において、第１のサブスイッチ回路と第２のサブスイッチ回路との給電電圧が異なってもよく、ＶＣＣＢ給電電圧は好ましくは１．６Ｖであり、当該給電電圧はピンＶＣＣＡの給電電圧より低くてもよい。この１．６Ｖの電圧値はグリーン、ブルー発光ダイオードの典型作業電圧（３．４〜３．６Ｖ）からレッド発光ダイオードの典型作業電圧（１．８〜２Ｖ）を引いて得られるもので、こうして、Ｒ／Ｇ／Ｂ原色発光ダイオードの給電電圧に対して差別化制御をすることができ、ＬＥＤディスプレイの電力消費を低減することができる。
【０１０５】
また、実施例五と六に示された実施形態に基づき、さらに以下のような変形があってもよい。
【０１０６】
ＬＥＤディスプレイにおける電界効果トランジスタがＰ−ＭＯＳトランジスタであってもよく、ＬＥＤ表示パネルにはＭ行Ｎ列のＬＥＤ粒子を含んでもよく、各ＬＥＤ粒子には、それぞれレッドランプ、グリーンランプ、およびブルーランプを含み、各行におけるｉ個目のＬＥＤ粒子の中のレッドランプの陽極が第ｉノードに並列接続し、各行における各ノードが並列接続し、第１のサブスイッチ回路３１における対応する１つのＰ−ＭＯＳトランジスタのドレンに接続する。各行におけるｊ個目のＬＥＤ粒子におけるグリーンランプの陽極とブルーランプの陽極とが第ｊノードに並列接続し、各行における各ノードが並列接続し、それぞれ第２のサブスイッチ回路３１における対応する１つのＰ−ＭＯＳトランジスタのドレンに接続する。各列における各ＬＥＤ粒子のレッドランプの陰極がそれぞれ並列接続し、それぞれ第１の定電流チャネルグループにおける対応する１つの定電流ロジック素子の第２端子に接続し、各列における各ＬＥＤ粒子のグリーンランプの陰極がそれぞれ並列接続し、それぞれ第２の定電流チャネルグループにおける対応する１つの定電流ロジック素子の第２端子に接続し、各列における各ＬＥＤ粒子のブルーランプの陰極がそれぞれ並列接続し、それぞれ第３の定電流チャネルグループにおける対応する１つの定電流ロジック素子の第２端子に接続する。
【０１０７】
さらに、表示駆動回路３０の外部ピンＶＣＣＢの給電電圧は外部ピンＶＣＣＡの給電電圧より低い。外部ピンＶＣＣＢの給電電圧は好ましくは１．６Ｖであり、この電圧値はグリーン、ブルー発光ダイオードの作業電圧（３．４〜３．６Ｖ）からレッド発光ダイオードの典型作業電圧（１．８〜２Ｖ）を引いて得られるもので、Ｒ／Ｇ／Ｂ原色発光ダイオードの給電電圧に対して差別化制御をすることで、ＬＥＤディスプレイの電力消費を低減することができる。
【０１０８】
実施例五と六に示された実施形態に基づき、さらに以下のような２種類の変形があってもよい。
【０１０９】
電界効果トランジスタはＮ−ＭＯＳトランジスタであってもよく、ＬＥＤ表示パネルにはＭ行Ｎ列のＬＥＤ粒子を含み、各ＬＥＤ粒子にはそれぞれレッドランプ、グリーンランプ、およびブルーランプを含み、各行におけるｉ個目のＬＥＤ粒子の中のレッドランプの陰極が第ｉノードに並列接続し、各行における各ノードが並列接続し、それぞれ第１のサブスイッチ回路３１における対応する１つのＮ−ＭＯＳトランジスタのドレンに接続する。各行におけるｊ個目のＬＥＤ粒子におけるグリーンランプの陰極とブルーランプの陰極とが第ｊノードに並列接続し、各行における各ノードが並列接続し、第２のサブスイッチ回路３１における対応する１つのＮ−ＭＯＳトランジスタのドレンに接続する。各列における各ＬＥＤ粒子のレッドランプの陽極がそれぞれ並列接続し、それぞれ第１の定電流チャネルグループにおける対応する１つの定電流ロジック素子の第２端子に接続し、各列における各ＬＥＤ粒子のグリーンランプの陽極がそれぞれ並列接続し、それぞれ第２の定電流チャネルグループにおける対応する１つの定電流ロジック素子の第２端子に接続し、各列における各ＬＥＤ粒子のブルーランプの陽極がそれぞれ並列接続し、それぞれ第３の定電流チャネルグループにおける対応する１つの定電流ロジック素子の第２端子に接続する。
【０１１０】
具体的には、当該実施例において、第１のサブスイッチ回路には、ソースが表示駆動回路３０の外部ピンＧＮＤに相互接続し、ゲートが第１の給電制御ポートに接続し、ドレンがＬＥＤ表示パネル１０の対応する行のＬＥＤ粒子のＲ原色陽極（図１０ａには単一行のＬＥＤ粒子であるが、単一行のＬＥＤ粒子でなくてもよい）に接続する１つまたは複数のＮ−ＭＯＳトランジスタを含む。第２のサブスイッチ回路には、ソースが表示駆動回路３０の外部ピンＧＮＤに相互接続し、ゲートが第２の給電制御ポートに接続し、ドレンがＬＥＤ表示パネル１０の対応する行のＬＥＤ粒子のＧとＢ原色陽極（図１０ａには単一行のＬＥＤ粒子であるが、単一行のＬＥＤ粒子でなくてもよい）に接続する１つまたは複数のＮ−ＭＯＳトランジスタを含む。
【０１１１】
また、Ｒ原色定電流チャネルグループには、入力端子がＬＥＤ表示パネル１０の対応する列のＬＥＤ粒子のＲ原色陰極に接続し、出力端子が表示駆動回路３０の外部ピンＶＣＣＲに接続し、制御端子が第１のＲ表示制御サブポートに接続する１つまたは複数の定電流ロジック素子を含んでもよい。Ｇ原色定電流チャネルグループには、入力端子がＬＥＤ表示パネル１０の対応する列のＬＥＤ粒子のＧ原色陰極に接続し、出力端子が表示駆動回路３０の外部ピンＶＣＣＧに接続し、制御端子が第１のＧ表示制御サブポートに接続する１つまたは複数の定電流ロジック素子を含んでもよい。Ｂ原色定電流チャネルグループには、入力端子がＬＥＤ表示パネル１０の対応する列のＬＥＤ粒子のＢ原色陰極に接続し、出力端子が表示駆動回路３０の外部ピンＶＣＣＢに接続し、制御端子が第１のＢ表示制御サブポートに接続する１つまたは複数の定電流ロジック素子を含んでもよい。
【０１１２】
その中、外部ピンＶＣＣＲの給電電圧は外部ピンＶＣＣＧ／ＶＣＣＢの給電電圧より低い。当該電圧値は好ましくは１．６Ｖであり、この電圧値はグリーン、ブルー発光ダイオードの典型作業電圧（３．４〜３．６Ｖ）からレッド発光ダイオードの典型作業電圧（１．８〜２Ｖ）を引いて得られるもので、Ｒ／Ｇ／Ｂ原色発光ダイオードの給電電圧に対して差別化制御をすることで、ＬＥＤディスプレイの電力消費を低減することができる。
【０１１３】
具体的には、各行におけるｉ個目のＬＥＤ粒子の中のレッドランプの陰極が第ｉノードに並列接続し、各行における各ノードが並列接続し、それぞれ第１のサブスイッチ回路３１における対応する１つのＮ−ＭＯＳトランジスタのドレンに接続する。各行におけるｊ個目のＬＥＤ粒子におけるグリーンランプの陰極とブルーランプの陰極とが第ｊノードに並列接続し、各行における各ノードが並列接続し、第２のサブスイッチ回路３１における対応する１つのＮ−ＭＯＳトランジスタのドレンに接続する。単一列におけるＬＥＤ粒子のＲ原色発光ダイオードの共同陽極が表示駆動回路３０の第１の定電流チャネルグループの定電流ロジック素子の入力端子に相互接続し、単一列におけるＬＥＤ粒子の中のＧ原色発光ダイオードの共同陽極が表示駆動回路３０の第２の定電流チャネルグループの定電流ロジック素子の入力端子に相互接続し、単一列におけるＬＥＤ粒子の中のＢ原色発光ダイオードの共同陽極が表示駆動回路３０の第３の定電流チャネルグループの定電流ロジック素子の入力端子に相互接続する。
【０１１４】
また、実施例八はさらに以下のような方法により実現される。電界効果トランジスタはＮ−ＭＯＳトランジスタであってもよく、ＬＥＤ表示パネル１０にはＭ行Ｎ列のＬＥＤ粒子を含み、各ＬＥＤ粒子はそれぞれレッドランプ、グリーンランプ、およびブルーランプを含み、各行の各ＬＥＤ粒子におけるレッドランプの陰極が並列接続し、それぞれ第１のサブスイッチ回路３１における対応する１つのＮ−ＭＯＳトランジスタのドレンに接続する。各行における各ＬＥＤ粒子におけるグリーンランプの陰極とブルーランプの陰極とが並列接続し、第２のサブスイッチ回路３１における対応する１つのＮ−ＭＯＳトランジスタのドレンに接続する。各列における各ＬＥＤ粒子のレッドランプの陽極がそれぞれ並列接続し、それぞれ第１の定電流チャネルグループにおける対応する１つの定電流ロジック素子の第２端子に接続し、各列における各ＬＥＤ粒子のグリーンランプの陽極がそれぞれ並列接続し、それぞれ第２の定電流チャネルグループにおける対応する１つの定電流ロジック素子の第２端子に接続し、各列における各ＬＥＤ粒子のブルーランプの陽極がそれぞれ並列接続し、それぞれ第３の定電流チャネルグループにおける対応する１つの定電流ロジック素子の第２端子に接続する。
【０１１５】
具体的には、各行における各ＬＥＤ粒子の中のレッドランプの陰極は内部で相互接続し、それぞれ第１のサブスイッチ回路３１における対応する１つのＮ−ＭＯＳトランジスタのドレンに接続し、各行における各ＬＥＤ粒子の中のグリーンランプとブルーランプの陰極が相互接続し、それぞれ第２のサブスイッチ回路３１における対応する１つのＮ−ＭＯＳトランジスタのドレンに接続する。単一列のＬＥＤ粒子の中のＲ原色発光ダイオードの共同陽極が表示駆動回路３０の第１の定電流チャネルグループの定電流ロジック素子の入力端子に相互接続し、単一列のＬＥＤ粒子の中のＧ原色発光ダイオードの共同陽極が表示駆動回路３０の第２の定電流チャネルグループの定電流ロジック素子の入力端子に相互接続し、単一列のＬＥＤ粒子の中のＢ原色発光ダイオードの共同陽極が表示駆動回路３０の第３の定電流チャネルグループの定電流ロジック素子の入力端子に相互接続する。
【０１１６】
本出願の上記実施例におけるＬＥＤディスプレイのＬＥＤ粒子には、レッドランプ、グリーンランプ、およびブルーランプを含み、レッドランプ、グリーンランプ、およびブルーランプがＬＥＤ粒子に集積されても良いし、レッドランプ、グリーンランプ、およびブルーランプがそれぞれパッケージされてからＬＥＤ粒子に配置されても良い。
【０１１７】
上記実施例一から六において、図６ａ、７ａ、８ａにおける電界効果トランジスタはそれぞれ図７ｃに示すＮ−ＭＯＳトランジスタであってもよく、図５ａ、９ａ、１０ａにおける電界効果トランジスタはそれぞれ図１０ｃに示すＰ−ＭＯＳトランジスタであってもよい。
【０１１８】
図１１は本出願の実施例に係るＬＥＤ制御システムの構造を示す図である。図１１に示すように、当該ＬＥＤ制御システムは、ＬＥＤ表示パネル１０の給電を制御するスイッチ回路３１と、ＬＥＤ表示パネル１０の順序正しい表示を制御する駆動回路３３と、制御回路３５とを有する表示駆動回路３０を含み、スイッチ回路３１と駆動回路３３のいずれか一つの第１端子が給電装置の電源端子に接続し、もう一つの第１端子が給電装置の接地端子に接続して、スイッチ回路３１と駆動回路３３のいずれか一つの第２端子がＬＥＤ表示パネル１０の陽極に接続し、もう一つの第２端子がＬＥＤ表示パネル１０の陰極に接続し、制御回路は、給電制御ポートによりスイッチ回路３１の第３端子に接続しスイッチ回路３１のオン／オフを制御する給電制御回路３５１と、駆動制御ポートにより駆動回路３３の第３端子に接続し駆動回路３３の導通やカットオフを制御する駆動制御回路３５３とを含む。
【０１１９】
本出願のＬＥＤ制御システムによると、当該システムの表示駆動回路３０にはスイッチ回路３１、駆動回路３３および制御回路３５を含み、制御回路３５はスイッチ回路３１のオン／オフを制御する給電制御回路３５１と、駆動回路３３の導通やカットオフを制御する駆動制御回路３５３とを含み、それからスイッチ回路３１のオン／オフによりＬＥＤ表示パネル１０の給電を制御し、駆動回路３３の導通やカットオフによりＬＥＤ表示パネル１０の表示を制御することで、ＬＥＤ表示パネル１０の順序正しい表示が実現される。本出願のＬＥＤ制御システムによると、スイッチ回路３１、駆動回路３３および制御回路３５を表示駆動回路３０に集積させ、元ＬＥＤ表示パネル１０の面積を変更せずに、より多くの表示駆動回路３０が配置でき、一定の面積のＬＥＤディスプレイにおいて、ＬＥＤ粒子と表示駆動回路３０の数量比が減少し、リフレッシュレートが高められ、且つ、ＬＥＤ表示パネル１０におけるＭ行＊Ｎ列ＬＥＤ粒子のアレイと表示駆動回路３０との接続関係がより明確になり、接続回路が少なくなり、ＰＣＢの設計する難しさを低減した。既存技術におけるＬＥＤディスプレイの制御回路３５の占めるＰＣＢ面積が大きく、リフレッシュ率が低いという課題が解決され、ＬＥＤディスプレイの制御回路３５の占める面積が小さく、設計が簡単で、リフレッシュ率が高い効果が実現されている。
【０１２０】
上記説明から分かるように、本発明は以下のような技術的効果が実現されている。即ち、本出願のＬＥＤディスプレイおよびＬＥＤ制御システムによると、スイッチ回路３１、駆動回路３３および制御回路３５を表示駆動回路３０に集積させ、元ＬＥＤ表示パネル１０の面積を変更せずに、より多くの表示駆動回路３０が配置でき、一定の面積のＬＥＤディスプレイにおいて、ＬＥＤ粒子と表示駆動回路３０の数量比が減少し、リフレッシュレートが高められ、且つ、ＬＥＤ表示パネル１０におけるＭ行＊Ｎ列ＬＥＤ粒子のアレイと表示駆動回路３０との接続関係がより明確になり、接続回路が少なくなり、ＰＣＢの設計する難しさを低減した。既存技術におけるＬＥＤディスプレイの制御回路３５の占めるＰＣＢ面積が大きく、リフレッシュ率が低いという課題が解決され、ＬＥＤディスプレイの制御回路３５の占める面積が小さく、設計が簡単で、リフレッシュ率が高い効果が実現されている。
【０１２１】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【図１ａ】
2016505881.tif 000003
【図１ｂ】
2016505881.tif 000004
【図１ｃ】
2016505881.tif 000005
【図２ａ】
2016505881.tif 000006
【図２ｂ】
2016505881.tif 000007
【図２ｃ】
2016505881.tif 000008
【図３ａ】
2016505881.tif 000009
【図３ｂ】
2016505881.tif 000010
【図３ｃ】
2016505881.tif 000011
【図４】
2016505881.tif 000012
【図５】
2016505881.tif 000013
【図５ａ】
2016505881.tif 000014
【図５ｂ】
2016505881.tif 000015
【図５ｃ】
2016505881.tif 000016
【図６ａ】
2016505881.tif 000017
【図６ｂ】
2016505881.tif 000018
【図６ｃ】
2016505881.tif 000019
【図７ａ】
2016505881.tif 000020
【図７ｂ】
2016505881.tif 000021
【図７ｃ】
2016505881.tif 000022
【図７ｄ】
2016505881.tif 000023
【図７ｅ】
2016505881.tif 000024
【図８ａ】
2016505881.tif 000025
【図８ｂ】
2016505881.tif 000026
【図８ｃ】
2016505881.tif 000027
【図９ａ】
2016505881.tif 000028
【図９ｂ】
2016505881.tif 000029
【図９ｃ】
2016505881.tif 000030
【図１０ａ】
2016505881.tif 000031
【図１０ｂ】
2016505881.tif 000032
【図１０ｃ】
2016505881.tif 000033
【図１０ｄ】
2016505881.tif 000034
【図１０ｅ】
2016505881.tif 000035
【図１１】
2016505881.tif 000036
【国際調査報告】
2016505881.tif 000037
2016505881.tif 000038
2016505881.tif 000039
2016505881.tif 000040